(57)【要約】      （修正有）【課題】クロスキャリア・スケジューリングを考慮した下りリンクデータのバッファリングのための方法および装置を提供する。【解決手段】ＵＥは、第１のサービングセルおよび第２のサービングセルの設定を受信する。第２のサービングセルのスケジューリングＣＯＲＥＳＥＴ（制御リソースセット）上で送信された第１のＰＤＣＣＨを受信し第１のサービングセル上で送信された第１のＰＤＳＣＨをスケジューリングし、第２のサービングセルのスケジューリングＣＯＲＥＳＥＴ上で送信された第２のＰＤＣＣＨを受信し第２のサービングセル上で送信された第２のＰＤＳＣＨをスケジューリングする。ＵＥが第２のＰＤＣＣＨをデコードする前に最低のＩＤを有するＣＯＲＥＳＥＴのＰＤＣＣＨ準同一位置指示に使用されるＴＣＩ（伝送設定指示）状態を介して第２のＰＤＳＣＨをバッファし、第１のＰＤＣＣＨをデコードする前に第１のＰＤＳＣＨをバッファしない。【選択図】図６
2019176472.tif 000002
【特許請求の範囲】
【請求項１】
ユーザ機器（ＵＥ）の方法であって、
ネットワークから第１のサービングセルおよび第２のサービングセルの設定を受信するステップと、
前記第２のサービングセルのスケジューリングＣＯＲＥＳＥＴ上で送信された第１のＰＤＣＣＨを受信および／または監視するステップであって、該第１のＰＤＣＣＨは、前記第１のサービングセル上で送信された第１のＰＤＳＣＨをスケジューリングする、ステップと、
前記第２のサービングセルのスケジューリングＣＯＲＥＳＥＴ上で送信された第２のＰＤＣＣＨを受信および／または監視するステップであって、該第２のＰＤＣＣＨは、前記第２のサービングセル上で送信された第２のＰＤＳＣＨをスケジューリングする、ステップと、
前記ＵＥが前記第２のＰＤＣＣＨを首尾よくデコードする前に、１つ以上のＣＯＲＥＳＥＴが前記ＵＥに対して設定される最新のスロット内の最低のＣＯＲＥＳＥＴ−ＩＤを有するＣＯＲＥＳＥＴのＰＤＣＣＨ準同一位置指示に使用されるＴＣＩ状態を介して前記第２のＰＤＳＣＨを受信および／またはバッファするステップと、
前記ＵＥが前記第１のＰＤＣＣＨを首尾よくデコードする前に、前記第１のＰＤＳＣＨを受信および／またはバッファしないステップと、を含む方法。
【請求項２】
前記第１のＰＤＣＣＨのＤＣＩの受信と前記第１のＰＤＳＣＨの間の時間オフセットを示すパラメータを受信するステップであって、該時間オフセットは閾値未満であることが許容される、ステップをさらに含む、請求項１に記載の方法。
【請求項３】
前記第１のＰＤＣＣＨのＤＣＩの受信と前記第１のＰＤＳＣＨの間の時間オフセットが閾値以上である、請求項１に記載の方法。
【請求項４】
前記閾値が、ＵＥ能力または前記ＵＥが前記ＰＤＣＣＨを首尾よくデコードするのに必要な持続時間に関連し、前記閾値がThreshold-Sched-Offsetである、請求項２に記載の方法。
【請求項５】
前記ＵＥは、前記第１のＰＤＣＣＨのＤＣＩの受信と前記第１のＰＤＳＣＨの間の時間オフセットが閾値未満である場合、前記第１のＰＤＳＣＨを受信および／またはバッファしない、請求項１に記載の方法。
【請求項６】
前記第２のＰＤＣＣＨのＤＣＩの受信と前記第２のＰＤＳＣＨの間の時間オフセットが閾値未満である場合、１つ以上のＣＯＲＥＳＥＴが前記ＵＥに対して設定される最新のスロット内の最低のＣＯＲＥＳＥＴ−ＩＤを有する前記ＣＯＲＥＳＥＴのＰＤＣＣＨ準同一位置指示に使用される前記ＴＣＩ状態を介して前記第２のＰＤＳＣＨを受信および／またはバッファするステップをさらに含む、請求項１記載の方法。
【請求項７】
前記ネットワークが、前記第１のサービングセルのためにＣＯＲＥＳＥＴ設定を設定し、該ＣＯＲＥＳＥＴ設定が準同一位置情報を提供するパラメータを含む場合、前記ＵＥは、準同一位置情報を提供する該パラメータを使用せずに前記第１のＰＤＣＣＨを受信する、請求項１に記載の方法。
【請求項８】
ネットワークのための方法であって、
ＵＥに第１のサービングセルおよび第２のサービングセルを設定するステップと、
前記第２のサービングセルのスケジューリングＣＯＲＥＳＥＴを介して第２のＰＤＣＣＨを前記ＵＥに送信するステップであって、該第２のＰＤＣＣＨは、前記第２のサービングセル上で送信された第２のＰＤＳＣＨをスケジューリングし、該第２のＰＤＣＣＨのＤＣＩの受信と該第２のＰＤＳＣＨの間の時間オフセットは、閾値未満であることが許容される、ステップと、
前記第２のサービングセルのスケジューリングＣＯＲＥＳＥＴを介して第１のＰＤＣＣＨを前記ＵＥに送信するステップであって、該第１のＰＤＣＣＨは、前記第１のサービングセル上で送信された第１のＰＤＳＣＨをスケジューリングする、ステップと、
前記第１のＰＤＣＣＨのＤＣＩの受信と前記第１のＰＤＳＣＨの間の時間オフセットが閾値未満になるように設定または構成することを防止するステップと、を含む方法。
【請求項９】
前記第１のＰＤＣＣＨのＤＣＩの受信と前記第１のＰＤＳＣＨの間の時間オフセットが前記閾値以上であることを示すパラメータを前記ＵＥに設定するステップをさらに含む、請求項８に記載の方法。
【請求項１０】
前記第１のＰＤＣＣＨのＤＣＩの受信と前記第１のＰＤＳＣＨの間の時間オフセットが前記閾値未満とすることができることを示すパラメータを前記ＵＥに設定するステップをさらに含む、請求項９記載の方法。
【請求項１１】
前記閾値が、ＵＥ能力または前記ＵＥが前記ＰＤＣＣＨを首尾よくデコードするのに必要な持続時間に関連し、前記閾値がThreshold-Sched-Offsetである、請求項９に記載の方法。
【請求項１２】
前記第２のＰＤＣＣＨのＤＣＩの受信と前記第２のＰＤＳＣＨの間の時間オフセットが閾値未満である場合、１つ以上のＣＯＲＥＳＥＴが前記ＵＥに対して設定される最新のスロット内の最低のＣＯＲＥＳＥＴ−ＩＤを有する前記ＣＯＲＥＳＥＴのＰＤＣＣＨ準同一位置指示に使用される前記ＴＣＩ状態に基づいて前記第２のＰＤＳＣＨを送信するステップをさらに含む、請求項９記載の方法。
【請求項１３】
前記第１のサービングセルのためにＣＯＲＥＳＥＴ設定の設定を防止するステップをさらに含む、請求項９記載の方法。
【請求項１４】
前記ネットワークが、前記第１のサービングセルのためにＣＯＲＥＳＥＴ設定を設定する場合、ＰＤＣＣＨを受信するための準同一位置情報を提供するパラメータを設定することは許容されない、請求項９に記載の方法。
【請求項１５】
前記ネットワークが、前記第１のサービングセルのためにＣＯＲＥＳＥＴ設定を設定する場合、前記第１のサービングセルのための前記ＰＤＣＣＨが前記第２のサービングセル上で送信されるとき、ＰＤＣＣＨを受信するための準同一位置情報を提供するパラメータは無視される、請求項９に記載の方法。
【請求項１６】
ユーザ機器（ＵＥ）であって、
制御回路と、
前記制御回路内に設置されたプロセッサと、
前記制御回路内に設置され、前記プロセッサに結合されたメモリと、を含み、
前記プロセッサは、前記メモリに記憶されたプログラムコードを実行して、
ネットワークから第１のサービングセルおよび第２のサービングセルの設定を受信することと、
前記第２のサービングセルのスケジューリングＣＯＲＥＳＥＴ上で送信された第１のＰＤＣＣＨを受信および／または監視するステップであって、該第１のＰＤＣＣＨは、前記第１のサービングセル上で送信された第１のＰＤＳＣＨをスケジューリングする、受信および／または監視することと、
前記第２のサービングセルのスケジューリングＣＯＲＥＳＥＴ上で送信された第２のＰＤＣＣＨを受信および／または監視するステップであって、該第２のＰＤＣＣＨは、前記第２のサービングセル上で送信された第２のＰＤＳＣＨをスケジューリングする、受信および／または監視することと、
前記ＵＥが前記第２のＰＤＣＣＨを首尾よくデコードする前に、１つ以上のＣＯＲＥＳＥＴが前記ＵＥに対して設定される最新のスロット内の最低のＣＯＲＥＳＥＴ−ＩＤを有するＣＯＲＥＳＥＴのＰＤＣＣＨ準同一位置指示に使用されるＴＣＩ状態を介して前記第２のＰＤＳＣＨを受信および／またはバッファすることと、
前記ＵＥが前記第１のＰＤＣＣＨを首尾よくデコードする前に、前記第１のＰＤＳＣＨを受信および／またはバッファしないことと、
を行うように構成された、ＵＥ。
【請求項１７】
前記プログラムコードは、前記第１のＰＤＣＣＨのＤＣＩの受信と前記第１のＰＤＳＣＨの間の時間オフセットを示すパラメータを受信することであって、該時間オフセットは閾値未満であることが許容される、受信することをさらに含む、請求項１６に記載のＵＥ。
【請求項１８】
前記第１のＰＤＣＣＨのＤＣＩの受信と前記第１のＰＤＳＣＨの間の時間オフセットが、閾値以上である、請求項１６に記載のＵＥ。
【請求項１９】
前記閾値が、ＵＥ能力または前記ＵＥが前記ＰＤＣＣＨを首尾よくデコードするのに必要な持続時間に関連し、前記閾値がThreshold-Sched-Offsetである、請求項１７に記載のＵＥ。
【請求項２０】
前記ＵＥは、前記第１のＰＤＣＣＨのＤＣＩの受信と前記第１のＰＤＳＣＨの間の時間オフセットが閾値未満である場合、前記第１のＰＤＳＣＨを受信および／またはバッファしない、請求項１６に記載のＵＥ。
【発明の詳細な説明】
【技術分野】
【０００１】
本願は、２０１８年３月２６日に出願された米国仮特許出願第６２／６４８，１９４号の利益を主張するものであり、そのすべての開示は全体として参照により本明細書に援用される。
【０００２】
この開示は、概して、無線通信ネットワークに関連し、より詳細には、無線通信システムにおいてクロスキャリア・スケジューリングを考慮した下りリンクデータのバッファリングのための方法および装置に関連する。
【背景技術】
【０００３】
移動体通信デバイスとの大量データの通信に対する要求が急速に高まる中、従来の移動体音声通信ネットワークは、インターネットプロトコル（ＩＰ）データパケットをやり取りするネットワークへと発展している。そのようなＩＰデータパケット通信は、移動体通信デバイスのユーザに、ボイスオーバＩＰ、マルチメディア、マルチキャスト、およびオンデマンド通信サービスを提供可能である。
【０００４】
例示的なネットワーク構造は、発展型ユニバーサル地上無線アクセスネットワーク（Ｅ−ＵＴＲＡＮ）である。Ｅ−ＵＴＲＡＮシステムは、上記のボイスオーバＩＰおよびマルチメディアサービスを実現するために、高いデータスループットを提供可能である。現在、次世代（例えば、５Ｇ）の新しい無線技術が３ＧＰＰ標準化機構によって論じられている。このため、現行の３ＧＰＰ標準内容に対する変更が現在提出され、３ＧＰＰ標準の発展および確定に向けて検討されている。
【発明の概要】
【０００５】
本明細書では、無線通信システムにおいてクロスキャリア・スケジューリングを考慮した下りリンクデータのバッファリングのための方法および装置を開示する。一方法では、ＵＥは、ネットワークから第１のサービングセルおよび第２のサービングセルの設定を受信する。ＵＥは、第２のサービングセルのスケジューリングＣＯＲＥＳＥＴ上で送信された第１のＰＤＣＣＨを受信および／または監視し、第１のＰＤＣＣＨは、第１のサービングセル上で送信された第１のＰＤＳＣＨをスケジューリングする。ＵＥは、第２のサービングセルのスケジューリングＣＯＲＥＳＥＴ上で送信された第２のＰＤＣＣＨを受信および／または監視し、第２のＰＤＣＣＨは、第２のサービングセル上で送信された第２のＰＤＳＣＨをスケジューリングする。ＵＥは、ＵＥが第２のＰＤＣＣＨを首尾よくデコードする前に、１つ以上のＣＯＲＥＳＥＴがＵＥに対して設定される最新のスロット内の最低のＣＯＲＥＳＥＴ−ＩＤを有するＣＯＲＥＳＥＴのＰＤＣＣＨ準同一位置指示に使用されるＴＣＩ状態を介して第２のＰＤＳＣＨを受信および／またはバッファする。ＵＥは、ＵＥが第１のＰＤＣＣＨを首尾よくデコードする前に、第１のＰＤＳＣＨを受信および／またはバッファしない。
【図面の簡単な説明】
【０００６】
【図１】例示的な一実施形態による無線通信システムの図を示す。
【図２】例示的な一実施形態による送信機システム（アクセスネットワークとしても知られている）および受信機システム（ユーザ機器またはＵＥとしても知られている）のブロック図である。
【図３】例示的な一実施形態による通信デバイスの機能ブロック図である。
【図４】例示的な一実施形態による図３のプログラムコードの機能ブロック図である。
【図５】３ＧＰＰ  ３ＧＰＰ  Ｒ１‐１７２１３４１から引用した表７．３．２．１‐１の転載である。
【図６】ユーザ機器（ＵＥ）の観点からの例示的な一実施形態のフロー図である。
【図７】ネットワークの観点からの例示的な一実施形態のフロー図である。
【発明を実施するための形態】
【０００７】
以下に説明する例示的な無線通信システムおよびデバイスは、無線通信システムを採用し、ブロードキャストサービスをサポートする。無線通信システムは、音声、データ等の様々なタイプの通信を提供するように広く展開されている。これらのシステムは、符号分割多元接続（ＣＤＭＡ）、時間分割多元接続（ＴＤＭＡ）、直交周波数分割多元接続（ＯＦＤＭＡ）、３ＧＰＰ  ＬＴＥ（ロングタームエボリューション）無線アクセス、３ＧＰＰ  ＬＴＥ−Ａ若しくはＬＴＥ−アドバンスト（ロングタームエボリューションアドバンスト）、３ＧＰＰ２  ＵＭＢ（Ultra  Mobile  Broadband：超モバイル広帯域）、ＷｉＭａｘ、５Ｇのための３ＧＰＰ  ＮＲ（New  Radio：新しい無線）無線アクセスまたはその他何らかの変調技術に基づいてよい。
【０００８】
特に、以下に説明する例示的な無線通信システムおよびデバイスは、本明細書において３ＧＰＰと呼ばれる「第３世代パートナーシッププロジェクト」という名称のコンソーシアムにより提示される標準などの１つ以上の標準をサポートするように設計されてよく、その標準は、R1-1801292,  3GPP  TS  38.212  V15.0.1  (2018-02)  3rd  Generation  Partnership  Project,  Technical  Specification  Group  Radio  Access  Network,  NR,  Multiplexing  and  channel  coding  (Release  15);  R1-1801294,  3GPP  TS  38.214  V15.0.0  (2018-02)  3rd  Generation  Partnership  Project,  Technical  Specification  Group  Radio  Access  Network,  NR,  Physical  layer  procedures  for  data  (Release  15);  Final  Report  of  3GPP  TSG  RAN  WG1  #85  v1.0.0;  Final  Report  of  3GPP  TSG  RAN  WG1  #86  v1.0.0;  Final  Report  of  3GPP  TSG  RAN  WG1  #86bis  v1.0.0;  Final  Report  of  3GPP  TSG  RAN  WG1  #87  v1.0.0;  Final  Report  of  3GPP  TSG  RAN  WG1  #AH1_NR  v1.0.0;  Final  Report  of  3GPP  TSG  RAN  WG1  #88  v1.0.0;  Final  Report  of  3GPP  TSG  RAN  WG1  #88bis  v1.0.0;  Final  Report  of  3GPP  TSG  RAN  WG1  #89  v1.0.0;  Final  Report  of  3GPP  TSG  RAN  WG1  #AH_NR3  v1.0.0;  Final  Report  of  3GPP  TSG  RAN  WG1  #90bis  v1.0.0;  Final  Chairman’s  Note  of  3GPP  TSG  RAN  WG1  Meeting  #91;  Final  Report  of  3GPP  TSG  RAN  WG1  #AH_1801  v1.0.0;及び  Draft  Report  of  3GPP  TSG  RAN  WG1  #92  v0.2.0を含む。上記に挙げた標準および文書は、全体として参照により本明細書に明示的に援用される。
【０００９】
図１は、本発明の一実施形態に係る多重アクセス無線通信システムを示している。アクセスネットワーク１００（ＡＮ）は、複数のアンテナグループを含み、あるグループは１０４および１０６、別のグループは１０８および１１０、また別のグループは１１２および１１４を含む。図１においては、各アンテナグループに対して、アンテナが２つしか示されていないが、より多くのまたはより少ないアンテナが各アンテナグループに利用されてよい。アクセス端末１１６（ＡＴ）は、アンテナ１１２および１１４と通信しており、アンテナ１１２および１１４は、順方向リンク１２０を介して情報をアクセス端末１１６に送信すると共に、逆方向リンク１１８を介して情報をアクセス端末１１６から受信している。アクセス端末（ＡＴ）１２２は、アンテナ１０６および１０８と通信しており、アンテナ１０６および１０８は、順方向リンク１２６を介して情報をアクセス端末（ＡＴ）１２２に送信すると共に、逆方向リンク１２４を介して情報をアクセス端末（ＡＴ）１２２から受信している。ＦＤＤシステムにおいては、通信リンク１１８、１２０、１２４、および１２６は通信に異なる周波数を使用してよい。例えば、順方向リンク１２０では、逆方向リンク１１８によって使用される周波数とは異なる周波数を使用してよい。
【００１０】
アンテナの各グループおよび／またはアンテナが通信するように設計されたエリアは、アクセスネットワークのセクターと称することが多い。本実施形態において、アンテナグループはそれぞれ、アクセスネットワーク１００によってカバーされるエリアのセクターにおいて、アクセス端末と通信するように設計されている。
【００１１】
順方向リンク１２０および１２６を介した通信において、アクセスネットワーク１００の送信アンテナは、異なるアクセス端末１１６および１２２に対する順方向リンクの信号対雑音比を改善するために、ビームフォーミングを利用してよい。また、カバレッジにランダムに分散したアクセス端末への送信にビームフォーミングを使用するアクセスネットワークは、１つのアンテナからすべてのそのアクセス端末に送信を行うアクセスネットワークよりも、隣接セルのアクセス端末への干渉が少ない。
【００１２】
アクセスネットワーク（ＡＮ）は、端末と通信するのに使用される固定局または基地局でよく、アクセスポイント、ノードＢ、基地局、拡張型基地局、進化型ノードＢ（ｅＮＢ）、ネットワークノード、ネットワークまたはその他何らかの専門用語で呼ばれることもある。アクセス端末（ＡＴ）は、ユーザ機器（ＵＥ）、無線通信デバイス、端末、アクセス端末、またはその他何らかの専門用語で呼ばれることもある。
【００１３】
図２は、ＭＩＭＯシステム２００における送信機システム２１０（アクセスネットワークとしても知られている）および受信機システム２５０（アクセス端末（ＡＴ）またはユーザ機器（ＵＥ）としても知られている）の実施形態の簡易ブロック図である。送信機システム２１０では、多くのデータストリームのトラフィックデータがデータ源２１２から送信（ＴＸ）データプロセッサ２１４に提供される。
【００１４】
一実施形態において、各データストリームは、それぞれの送信アンテナを介して送信される。ＴＸデータプロセッサ２１４は、データストリームに対して選択された特定の符号化方式に基づいて、各データストリームについてのトラフィックデータをフォーマット、符号化、およびインターリーブして、符号化データを提供する。
【００１５】
各データストリームについての符号化データを、ＯＦＤＭ技術を使用してパイロットデータと多重化してよい。パイロットデータは、代表的には、既知の様態で処理される既知のデータパターンであり、受信機システムでチャネル応答を推定するのに使用されてよい。そして、各データストリームについての多重化パイロットおよび符号化データは、データストリームに対して選択された特定の変調方式（例えば、ＢＰＳＫ、ＱＰＳＫ、Ｍ−ＰＳＫ、またはＭ−ＱＡＭ）に基づいて変調（すなわち、シンボルマッピング）されて、変調シンボルを提供する。各データストリームについてのデータレート、符号化、および変調は、プロセッサ２３０により実行される命令によって決定されてよい。
【００１６】
そして、すべてのデータストリームについての変調シンボルはＴＸ  ＭＩＭＯプロセッサ２２０に与えられ、これが（例えば、ＯＦＤＭの場合に）変調シンボルをさらに処理してよい。そして、ＴＸ  ＭＩＭＯプロセッサ２２０は、ＮＴ個の変調シンボルストリームをＮＴ個の送信機（ＴＭＴＲ）２２２ａ〜２２２ｔに提供する。特定の実施形態において、ＴＸ  ＭＩＭＯプロセッサ２２０は、ビームフォーミング加重をデータストリームのシンボルおよびシンボルが送信されているアンテナに適用する。
【００１７】
各送信機２２２は、各シンボルストリームを受信および処理して１つ以上のアナログ信号を提供し、さらに、アナログ信号を調節（例えば、増幅、フィルタリング、およびアップコンバート）して、ＭＩＭＯチャネルを介した送信に適した変調信号を提供する。そして、送信機２２２ａ〜２２２ｔからのＮＴ個の変調信号がそれぞれ、ＮＴ個のアンテナ２２４ａ〜２２４ｔから送信される。
【００１８】
受信機システム２５０においては、送信された変調信号はＮＲ個のアンテナ２５２ａ〜２５２ｒによって受信され、各アンテナ２５２からの受信信号は、各受信機（ＲＣＶＲ）２５４ａ〜２５４ｒに提供される。各受信機２５４は、それぞれの受信信号を調節（例えば、フィルタリング、増幅、およびダウンコンバート）して、調節された信号をデジタル化してサンプルを与え、さらに、これらのサンプルを処理して対応する「受信」シンボルストリームを提供する。
【００１９】
そして、ＲＸデータプロセッサ２６０は、特定の受信機処理技術に基づいて、ＮＲ個の受信機２５４からのＮＲ個の受信シンボルストリームを受信および処理して、ＮＴ個の「検出」シンボルストリームを提供する。そして、ＲＸデータプロセッサ２６０は、各検出シンボルストリームを復調、デインターリーブ、および復号して、データストリームについてのトラフィックデータを復元する。ＲＸデータプロセッサ２６０による処理は、送信機システム２１０でのＴＸ  ＭＩＭＯプロセッサ２２０およびＴＸデータプロセッサ２１４により実行される処理と相補的である。
【００２０】
プロセッサ２７０は、どのプリコーディングマトリクス（後述）使用するかを定期的に決定する。プロセッサ２７０は、マトリクス指標部およびランク値部を含む逆方向リンクメッセージを構築する。
【００２１】
逆方向リンクメッセージは、通信リンクおよび／または受信データストリームに関する様々なタイプの情報を含んでよい。そして、逆方向リンクメッセージは、データ源２３６からの多くのデータストリームについてのトラフィックデータも受信するＴＸデータプロセッサ２３８により処理され、変調器２８０により変調され、送信機２５４ａ〜２５４ｒにより調節され、送信機システム２１０に送り戻される。
【００２２】
送信機システム２１０では、受信機システム２５０からの変調信号がアンテナ２２４により受信され、受信機２２２により調節され、復調器２４０により復調され、ＲＸデータプロセッサ２４２により処理されて、受信機システム２５０により送信された逆方向リンクメッセージを抽出する。そして、プロセッサ２３０は、ビームフォーミング加重を決定するのにどのプリコーディングマトリクスを使用するかを決定し、そして、抽出されたメッセージを処理する。
【００２３】
図３を参照すると、この図は、本発明の一実施形態による通信デバイスの代替的な簡易機能ブロック図を示している。図３に示されるように、無線通信システムにおける通信デバイスは、図１のＵＥ（若しくはＡＴ）１１６および１２２または図１の基地局（若しくはＡＮ）１００を実現するのに利用可能であり、無線通信システムは、好ましくはＬＴＥシステムまたはＮＲシステムである。通信デバイスは、入力デバイス３０２、出力デバイス３０４、制御回路３０６、中央演算処理装置（ＣＰＵ）３０８、メモリ３１０、プログラムコード３１２、およびトランシーバ３１４を含んでよい。制御回路３０６は、ＣＰＵ３０８を介してメモリ３１０内のプログラムコード３１２を実行することにより、通信デバイスの動作を制御する。通信デバイス３００は、キーボード、キーパッド等の入力デバイス３０２を介してユーザにより入力された信号を受信することができ、モニタ、スピーカ等の出力デバイス３０４を介して画像および音声を出力することができる。トランシーバ３１４は、無線信号を受信および送信するのに使用され、受信信号を制御回路３０６に伝達すると共に、制御回路３０６により生成された信号を無線で出力する。無線通信システムにおける通信デバイス３００は、図１のＡＮ１００を実現するのにも利用可能である。
【００２４】
図４は、本発明の一実施形態による図３に示すプログラムコード３１２の簡易ブロック図である。本実施形態において、プログラムコード３１２は、アプリケーションレイヤ４００、レイヤ３部４０２、およびレイヤ２部４０４を含み、レイヤ１部４０６に結合されている。レイヤ３部４０２は一般的に、無線リソース制御を実行する。レイヤ２部４０４は一般的に、リンク制御を実行する。レイヤ１部４０６は一般的に、物理的接続を実行する。
【００２５】
３ＧＰＰ  Ｒ１−１８０１２９２  ３ＧＰＰ  ＴＳ  ３８．２１２  Ｖ１５．０．１において開示されるような物理下りリンク制御チャネル（ＰＤＣＣＨ）上で送信される信号の下りリンク制御情報（ＤＣＩ）フォーマットの説明の一部を以下に引用する。
［外１−１］
2019176472.tif 000003
［外１−２］
2019176472.tif 000004
【００２６】
以下に引用するように、下りリンク（ＤＬ）リソース割り当ての説明の一部は、３ＧＰＰ  Ｒ１−１８０１２９４  ３ＧＰＰ  ＴＳ  ３８．２１４  Ｖ１５．０．０に開示されている。
［外２］
2019176472.tif 000005
【００２７】
３ＧＰＰ  ＴＳＧ  ＲＡＮ  ＷＧ１＃８６  ｖ１．０．０（Ｆｉｎａｌ  Ｒｅｐｏｒｔ）に開示されているように、以下の引用は、ビーム管理についてのいくつかの合意を説明している。
［外３］
2019176472.tif 000006
【００２８】
３ＧＰＰ  ＴＳＧ  ＲＡＮ  ＷＧ１＃８６ｂｉｓ  ｖ１．０．０（Ｆｉｎａｌ  Ｒｅｐｏｒｔ）に開示されているように、以下の引用は、ＲＡＮ１におけるビーム管理についてのいくつかの合意を説明している。
［外４］
2019176472.tif 000007
【００２９】
３ＧＰＰ  ＴＳＧ  ＲＡＮ  ＷＧ１＃８７  ｖ１．０．０（Ｆｉｎａｌ  Ｒｅｐｏｒｔ）に開示されているように、以下の引用は、ビーム管理についてのいくつかの合意を説明している。
［外５］
2019176472.tif 000008
【００３０】
３ＧＰＰ  ＴＳＧ  ＲＡＮ  ＷＧ１＃ＡＨ１＿ＮＲ  ｖ１．０．０（Ｆｉｎａｌ  Ｒｅｐｏｒｔ）に開示されているように、以下の引用は、ビーム管理についてのいくつかの合意を説明している。
［外６］
2019176472.tif 000009
【００３１】
３ＧＰＰ  ＴＳＧ  ＲＡＮ  ＷＧ１＃８８  ｖ．１．０．０（Ｆｉｎａｌ  Ｒｅｐｏｒｔ）に開示されているように、以下の引用は、ＲＡＮ１におけるビーム管理についてのいくつかの合意を説明している。
［外７］
2019176472.tif 000010
【００３２】
３ＧＰＰ  ＴＳＧ  ＲＡＮ  ＷＧ１＃８９  ｖ１．０．０（Ｆｉｎａｌ  Ｒｅｐｏｒｔ）に開示されているように、以下の引用は、ビーム管理についてのいくつかの合意を説明している。
［外８］
2019176472.tif 000011
【００３３】
３ＧＰＰ  ＴＳＧ  ＲＡＮ  ＷＧ１＃ＡＨ＿ＮＲ３  ｖ１．０．０（Ｆｉｎａｌ  Ｒｅｐｏｒｔ）に開示されているように、以下の引用はビーム管理についてのいくつかの合意を説明している。
［外９］
2019176472.tif 000012
【００３４】
３ＧＰＰ  ＴＳＧ  ＲＡＮ  ＷＧ１＃９０ｂｉｓ  ｖ１．０．０（Ｆｉｎａｌ  Ｒｅｐｏｒｔ）に開示されているように、以下の引用はビーム管理についてのいくつかの合意を説明している。
［外１０−１］
2019176472.tif 000013
［外１０−２］
2019176472.tif 000014
【００３５】
３ＧＰＰ  ＴＳＧ  ＲＡＮ  ＷＧ１Ｍｅｅｔｉｎｇ＃９１（Ｆｉｎａｌ  Ｃｈａｉｒｍａｎ’ｓ  Ｎｏｔｅ）に開示されているように、以下の引用はビーム管理についてのいくつかの合意を説明している。
［外１１］
2019176472.tif 000015
【００３６】
以下、次の専門用語および想定を使用することがある。
・  ＢＳ：１つ又は複数のセルに関連付けられた１つまたは複数のＴＲＰを制御するために使用されるＮＲ内のネットワーク中央ユニットまたはネットワークノードである。ＢＳとＴＲＰの間の通信は、フロントホールを介する。ＢＳは、セントラルユニット（ＣＵ）、ｅＮＢ、ｇＮＢ、またはＮｏｄｅＢと呼ばれることがある。
・  ＴＲＰ：送受信ポイントはネットワーク・カバレッジを提供し、ＵＥと直接通信する。ＴＲＰは、分散ユニット（ＤＵ）またはネットワークノードと呼ばれることがある。
・  セル：セルは１つ又は複数の関連付けられたＴＲＰから構成される、すなわちセルのカバレッジはすべての関連付けられたＴＲＰのカバレッジから構成される。一つのセルは一つのＢＳによって制御される。セルはＴＲＰグループ（ＴＲＰＧ）と呼ばれることがある。
・  サービングビーム：ＵＥのためのサービングビームは、ＵＥと通信する、例えば送信および／または受信のために使用されるように設定されるネットワークノード、例えばＴＲＰによって生成されるビームである。
・  候補ビーム：ＵＥのための候補ビームは、サービングビームの候補である。サービングビームは候補ビームであってもなくてもよい。
【００３７】
ＵＥが物理下りリンク共有チャネル（ＰＤＳＣＨ）を受信するとき、ＵＥは、スケジューリング物理下りリンク制御チャネル（ＰＤＣＣＨ）内の伝送設定指示（ＴＣＩ：Transmission  Configuration  Indication）フィールドに従って、ＰＤＳＣＨ受信のためのアンテナポート準同一位置（quasi  co-location）を決定することがある。３ＧＰＰ  ＴＳＧ  ＲＡＮ  ＷＧ１  ＃８７  ｖ１．０．０（Ｆｉｎａｌ  Ｒｅｐｏｒｔ）に記載されているように、TCI-PresentInDCIがＰＤＳＣＨをスケジューリングする制御リソースセット（ＣＯＲＥＳＥＴ：Control  Resource  Set）に対して「無効（Disabled）」に設定されているか、またはＰＤＳＣＨがＤＣＩフォーマット１＿０によってスケジューリングされる場合、ＰＤＳＣＨアンテナポートの準同一位置を決定するために、ＵＥは、ＰＤＳＣＨのためのＴＣＩ状態（TCI  state）がＰＤＣＣＨ送信に使用されるＣＯＲＥＳＥＴに適用されるＴＣＩ状態と同一であると想定する。TCI-PresentInDCIが「有効（Enabled）」に設定されている場合、ＵＥは、ＰＤＳＣＨ受信のためのアンテナポート準同一位置を決定するために、下りリンク制御情報（ＤＣＩ）を有する検出された物理下りリンク制御チャネル（ＰＤＣＣＨ）内の「伝送設定指示」フィールドの値に従ったＴＣＩ状態を使用するものとする。
【００３８】
ＵＥは、ＤＬ  ＤＣＩの受信と対応するＰＤＳＣＨの間の時間オフセットが閾値Threshold-Sched-Offset以上である場合、サービングセルのＰＤＳＣＨの１つの復調参照信号（ＤＭ−ＲＳ）ポートグループのアンテナポートが、示されたＴＣＩ状態によって与えられる準同一位置（ＱＣＬ）型パラメータに関して、参照信号（ＲＳ）セット内のＲＳと準同一位置にあると想定してもよく、ここで、閾値はＵＥ能力（UE  Capability）に関連する。TCI-PresentInDCI＝「有効」およびTCI-PresentInDCI＝「無効」のときの場合の両方について、下りリンク（ＤＬ）ＤＣＩの受信と対応するＰＤＳＣＨのオフセットが閾値Threshold-Sched-Offset未満である場合、ＵＥは、サービングセルのＰＤＳＣＨの１つのＤＭ−ＲＳポートグループのアンテナポートが、１つ以上のＣＯＲＥＳＥＴがＵＥに対して設定される最新のスロット内の最低のＣＯＲＥＳＥＴ−ＩＤのＰＤＣＣＨ準同一位置指示に使用されるＴＣＩ状態に基づいて準同一位置にあると想定してもよい。
【００３９】
言い換えると、ＵＥがスケジューリングＰＤＣＣＨを（首尾よく）デコードする前に、ＵＥは、１つ以上のＣＯＲＥＳＥＴがＵＥに対して設定される最新のスロット内の最低の識別（ＩＤ）を有するＣＯＲＥＳＥＴ（例えば、１つ以上のＣＯＲＥＳＥＴがＵＥによって監視される最新のスロット内で監視される最低の識別（ＩＤ）を有するＣＯＲＥＳＥＴ）を受信するためのＴＣＩ状態または空間パラメータもしくはビームを使用することを介して、スケジューリングされるＰＤＳＣＨを受信および／またはバッファする。しかし、クロスキャリア・スケジューリングの場合は、ストーリーが異なることがある。
【００４０】
クロスキャリア・スケジューリングの場合、スケジューリングされるサービングセルとスケジューリングするサービングセルのＣＯＲＥＳＥＴ設定は、少なくとも以下のケースに分類することができる。
【００４１】
ケース１：ネットワークは、スケジューリングされるサービングセルのためのＣＯＲＥＳＥＴ設定を設定しない。言い換えると、ネットワークは、スケジューリングされるサービングセルのＣＯＲＥＳＥＴ設定を設定することを防止するか、または設定することが許容されない。ＵＥは、スケジューリングするサービングセルのＣＯＲＥＳＥＴまたはＣＯＲＥＳＥＴ設定上でスケジューリングされるサービングセルのためのＰＤＣＣＨを受信および／または監視する。例えば、スケジューリングされるサービングセルはセル１であり、スケジューリングするサービングセルはセル２である。セル１のＰＤＣＣＨはセル２のＣＯＲＥＳＥＴ上で送信され、ＵＥはセル２のＣＯＲＥＳＥＴ上でセル１のＰＤＣＣＨを受信および／または監視する。
【００４２】
ケース２：ネットワークは、スケジューリングされるサービングセルのためのＣＯＲＥＳＥＴ設定を設定する。ＵＥは、スケジューリングされるサービングセルのＣＯＲＥＳＥＴ上でスケジューリングされるサービングセルのためのＰＤＣＣＨを受信および／または監視する。一実施形態では、スケジューリングされるサービングセルのＣＯＲＥＳＥＴは、スケジューリングするサービングセル（の周波数リソース）上で送信されてもよい。言い換えると、ＵＥは、スケジューリングされるサービングセルのＣＯＲＥＳＥＴ設定に基づいて、スケジューリングされるサービングセルのためのＰＤＣＣＨを受信および／または監視する。例えば、スケジューリングされるサービングセルはセル１であり、スケジューリングするサービングセルはセル２である。セル１のＰＤＣＣＨは、セル１のＣＯＲＥＳＥＴ上で送信される。ＵＥは、セル１のＣＯＲＥＳＥＴ上でセル１のＰＤＣＣＨを監視する。一実施形態では、セル１のＣＯＲＥＳＥＴは、セル２（の周波数リソース）上で送信される。一実施形態では、ＵＥは、セル１のＣＯＲＥＳＥＴ上でセル１のＰＤＣＣＨを監視し、ここで、セル１のＣＯＲＥＳＥＴは、セル２の周波数リソース上に位置する。
【００４３】
ケース１の場合、ＵＥは、セル２のＣＯＲＥＳＥＴ上で送信されたスケジューリングＰＤＣＣＨを受信し、ここで、スケジューリングＰＤＣＣＨは、セル１上で送信されたＰＤＳＣＨをスケジューリングする。ＵＥがセル２上でスケジューリングＰＤＣＣＨを（首尾よく）デコードする前に、ＵＥは、１つ以上のＣＯＲＥＳＥＴがＵＥに対して設定される最新のスロット内の最低のＣＯＲＥＳＥＴ  ＩＤを有するセル２のＣＯＲＥＳＥＴを受信するためのＴＣＩ状態または空間パラメータもしくはビームを使用することを介して、セル１のスケジューリングされるＰＤＳＣＨを受信および／またはバッファする。
【００４４】
しかし、少なくとも、セル１およびセル２がインターバンド・キャリア（Interband  carriers）である場合、セル２のＣＯＲＥＳＥＴに適用されるＴＣＩ状態は、セル１上で送信されるＰＤＳＣＨに適切ではないことがある。例えば、セル１が６ＧＨｚを超える周波数帯域に位置するキャリアであり、セル２は６ＧＨｚ未満の周波数帯域に位置するキャリアである。
【００４５】
従って、クロスキャリア・スケジューリングの場合、少なくともケース１について、スケジューリングＰＤＣＣＨが（首尾よく）デコードされる前に、スケジューリングＰＤＣＣＨがスケジューリングするサービングセルのＣＯＲＥＳＥＴ上で送信される場合、スケジューリングされるサービングセルのＰＤＳＣＨをどのように受信および／またはバッファするかを考慮する必要がある。すなわち、スケジューリングＰＤＣＣＨが（首尾よく）デコードされる前に、スケジューリングされるサービングセル上で送信されたＰＤＳＣＨを受信および／またはバッファするためのＴＣＩ状態（または空間パラメータもしくは受信ビーム）をどのように決定するかを考慮する必要がある。
【００４６】
ケース２の場合、ＵＥは、セル１のＣＯＲＥＳＥＴ上で送信されたＰＤＣＣＨを受信し、ここで、ＰＤＣＣＨは、セル１上で送信されたＰＤＳＣＨをスケジューリングする。一実施形態では、セル１のＣＯＲＥＳＥＴは、セル２の周波数リソース上で送信される。セル１は、セル２上で送信されたそれ自身のＣＯＲＥＳＥＴを有するが、ＵＥは、セル２のＣＯＲＥＳＥＴを受信するためのＴＣＩ状態または空間パラメータもしくはビームを使用して、セル１のＣＯＲＥＳＥＴを受信してもよい。一実施形態では、ＰＤＣＣＨを受信するための準同一位置情報を提供するＴＣＩ状態のセット（TCI-StatesPDCCH）は、セル１のＣＯＲＥＳＥＴ設定において設定されても、されなくてもよい。
【００４７】
セル１のＣＯＲＥＳＥＴはセル２（の周波数リソース）上で送信されるため、ＵＥは、セル１上で送信されたスケジューリングされるＰＤＳＣＨのバッファするために最低のＣＯＲＥＳＥＴ  ＩＤを有するＣＯＲＥＳＥＴを参照するときに、どのセルが参照としてＵＥに提供しているか不明であることがある。すなわち、最低のＣＯＲＥＳＥＴ  ＩＤを有するＣＯＲＥＳＥＴは、セル１またはセル２の中で最低のＣＯＲＥＳＥＴ  ＩＤを有するＣＯＲＥＳＥＴ、あるいはセル１およびセル２の中で最低のＣＯＲＥＳＥＴ  ＩＤを持つＣＯＲＥＳＥＴである可能性がある。ＵＥがスケジューリングＰＤＣＣＨをデコードする前であっても、ＵＥがスケジューリングされるＰＤＳＣＨをそれを介して受信し、バッファするセル１の最低のＩＤを有するＣＯＲＥＳＥＴを受信するためのＴＣＩ状態または空間パラメータもしくはビームを使用しており、セル１の最低のＩＤを有するＣＯＲＥＳＥＴを受信するためのＴＣＩ状態または空間パラメータもしくはビームが適切でないことがある。
【００４８】
ＵＥは、セル２のＣＯＲＥＳＥＴを受信するためのＴＣＩ状態または空間パラメータもしくはビームを使用してセル１のＣＯＲＥＳＥＴを受信することがあるため、ＵＥがＰＤＣＣＨをデコードする前に、セル２のＣＯＲＥＳＥＴを受信するためのものを使用することによって、ＵＥがセル１におけるＰＤＳＣＨを受信するのは適切ではないことがある。例えば、セル１およびセル２がインターバンド・キャリアである。ケース１の問題と同様に、スケジューリングＰＤＣＣＨが（首尾よく）デコードされる前に、スケジューリングされるサービングセル上で送信されたＰＤＳＣＨを受信および／またはバッファするためのＴＣＩ状態（または空間パラメータもしくは受信ビーム）をどのように決定するかを考慮する必要がある。
【００４９】
本明細書では、以下の解決策または実施形態が、少なくとも、クロスキャリア・スケジューリングの場合を処理するために、またはＵＥがＰＤＣＣＨをデコードする前に、スケジューリングされるサービングセルのＰＤＳＣＨを受信するためのＴＣＩ状態もしくは空間パラメータもしくは受信するビームを決定するために使用されるが、これらに限られない。
【００５０】
ある概念によれば、ＵＥがスケジューリングするサービングセル内でＰＤＣＣＨを首尾よくデコードする前に、ＵＥは、スケジューリングされるサービングセルにおいてＰＤＳＣＨを受信するためのＰＤＳＣＨアンテナポート準同一位置が、スケジューリングするサービングセルの１つ以上のＣＯＲＥＳＥＴがＵＥに対して設定される最新のスロット内の、スケジューリングするサービングセルにおいて送信される、最低のＣＯＲＥＳＥＴ−ＩＤを有するＣＯＲＥＳＥＴを受信するための準同一位置情報に基づくと想定しなくてよい。
【００５１】
一実施形態では、ＵＥがスケジューリングするサービングセル内でＰＤＣＣＨを首尾よくデコードする前に、スケジューリングされるサービングセルのＰＤＳＣＨの１つのＤＭ−ＲＳポートグループのアンテナポートは、スケジューリングするサービングセルの１つ以上のＣＯＲＥＳＥＴがＵＥに対して設定される最新のスロット内の、スケジューリングするサービングセルにおいて送信される、最低のＣＯＲＥＳＥＴ−ＩＤを有するＣＯＲＥＳＥＴをＰＤＣＣＨ準同一位置指示に使用されるＴＣＩ状態に基づいた準同一位置にあると想定しなくてよい。
【００５２】
一実施形態では、最低のＣＯＲＥＳＥＴ−ＩＤを有するＣＯＲＥＳＥＴは、スケジューリングするサービングセルのために設定されたＣＯＲＥＳＥＴの中から選択してもよい。
【００５３】
一実施形態では、最低のＣＯＲＥＳＥＴ−ＩＤを有するＣＯＲＥＳＥＴは、スケジューリングされるサービングセルのために設定されたＣＯＲＥＳＥＴの中から選択してもよい。
【００５４】
一実施形態では、最低のＣＯＲＥＳＥＴ−ＩＤを有するＣＯＲＥＳＥＴは、スケジューリングするサービングセルのために設定されたＣＯＲＥＳＥＴと、スケジューリングされるサービングセルのために設定されたＣＯＲＥＳＥＴの中から選択され得る。
【００５５】
別の概念では、ＵＥがスケジューリングするサービングセル内でＰＤＣＣＨを首尾よくデコードする前に、ＵＥは、上位レイヤ構成に基づいて、スケジューリングされるサービングセル内でＰＤＳＣＨを受信するためのＰＤＳＣＨアンテナポートの準同一位置を決定する。
【００５６】
一実施形態では、ＵＥがスケジューリングするサービングセル内でＰＤＣＣＨを首尾よくデコードする前に、ＵＥは、インジケータに基づいて、スケジューリングされるサービングセル内でＰＤＳＣＨを受信するためのＰＤＳＣＨアンテナポート準同一位置を決定する。
【００５７】
一実施形態では、ＵＥがスケジューリングするサービングセル内でＰＤＣＣＨを首尾よくデコードする前に、ＵＥは、上位レイヤ構成またはインジケータに基づいて、スケジューリングするサービングセル内で送信される、最低のＣＯＲＥＳＥＴ−ＩＤを有するＣＯＲＥＳＥＴに適用されるＴＣＩ状態を解釈する。
【００５８】
一実施形態では、ＵＥがスケジューリングするサービングセル内でＰＤＣＣＨを首尾よくデコードする前に、スケジューリングされるサービングセル内でＰＤＳＣＨを受信するためのＰＤＳＣＨアンテナポート準同一位置を決定する場合に、ＵＥは、スケジューリングするサービングセル内で送信される、最低のＣＯＲＥＳＥＴ−ＩＤを有するＣＯＲＥＳＥＴに適用されるＴＣＩ状態を使用する。
【００５９】
別の概念では、ネットワークがスケジューリングされるサービングセルのために対応するＣＯＲＥＳＥＴ設定を設定する場合、ＰＤＣＣＨ（例えば、TCI-StatesPDCCH）を受信するための準同一位置情報を提供するパラメータは、設定しても、設定しなくてもよい。これは、ネットワークがスケジューリングされるサービングセルのために対応するＣＯＲＥＳＥＴ設定を設定する場合、ＰＤＣＣＨ（例えば、TCI-StatesPDCCH）を受信するための準同一位置情報を提供するパラメータが設定されることが許容されないことを意味してもよい。
【００６０】
一実施形態では、ネットワークがスケジューリングされるサービングセルのために対応するＣＯＲＥＳＥＴ設定を設定する場合、受信するＰＤＣＣＨ（例えば、TCI-StatesPDCCH）のための準同一位置情報を提供するパラメータは、スケジューリングされるサービングセルのＰＤＣＣＨがスケジューリングするサービングセル上で送信されるときに無視されてもよく、使用されなくてもよい。
【００６１】
一実施形態では、ネットワークがスケジューリングされるサービングセルのために対応するＣＯＲＥＳＥＴ設定を設定する場合、スケジューリングされるサービングセルのＣＯＲＥＳＥＴ内のTCI-StatesPDCCHは、設定されない。
【００６２】
一実施形態では、ネットワークがスケジューリングされるサービングセルのために対応するＣＯＲＥＳＥＴ設定を設定する場合、スケジューリングされるサービングセルのＣＯＲＥＳＥＴ内のTCI-StatesPDCCHは、ＵＥがスケジューリングするサービングセル上でスケジューリングされるサービングセルのＰＤＣＣＨを受信または監視するときにＵＥによって無視されるかまたは使用されない。
【００６３】
一実施形態では、ネットワークがスケジューリングされるサービングセルのために対応するＣＯＲＥＳＥＴ設定を設定する場合、ＵＥは、スケジューリングするサービングセルのＣＯＲＥＳＥＴを受信するためのＴＣＩ状態又は空間パラメータもしくは受信ビームを使用して、スケジューリングされるサービングセルのＣＯＲＥＳＥＴを受信する。
【００６４】
一実施形態では、ネットワークがスケジューリングされるサービングセルのために対応するＣＯＲＥＳＥＴ設定を設定する場合、スケジューリングされるサービングセルのＣＯＲＥＳＥＴ内のTCI-StatesPDCCHは、ＴＣＩ状態のセットを含み、ここで、ＴＣＩ状態のセットは、スケジューリングするサービングセル内で送信される参照信号に関連付けられている。
【００６５】
一実施形態では、ネットワークがスケジューリングされるサービングセルのために対応するＣＯＲＥＳＥＴ設定を設定する場合、ＵＥは、スケジューリングされるサービングセルのＣＯＲＥＳＥＴ内のTCI-StatesPDCCH内のＲＳインデックスを、それらとスケジューリングするサービングセル内で送信される参照信号と関連付けることによって、解釈する。
【００６６】
別の概念では、ＵＥがサービングセル内でＰＤＳＣＨを受信し、そのＰＤＳＣＨをスケジューリングするスケジューリングＰＤＣＣＨが別のサービングセル上で送信される場合、ＵＥは、スケジューリングＰＤＣＣＨのＤＣＩの受信とＰＤＳＣＨの間の時間オフセットが閾値以上であると期待してもよい。
【００６７】
一実施形態において、ＵＥがサービングセル内でＰＤＳＣＨを受信し、そのＰＤＳＣＨをスケジューリングするスケジューリングＰＤＣＣＨが別のサービングセル上で送信される場合、ＵＥは、スケジューリングＰＤＣＣＨのＤＣＩの受信とＰＤＳＣＨの間の時間オフセットが閾値未満であると期待しなくてもよい。
【００６８】
一実施形態では、TCI-PresentInDCIが「有効」として設定される場合と、TCI-PresentInDCIが「無効」として設定されるまたは設定されない場合の両方について、ＵＥがサービングセル内でＰＤＳＣＨを受信し、そのＰＤＳＣＨをスケジューリングするスケジューリングＰＤＣＣＨが別のサービングセル上で送信される場合、ＵＥは、スケジューリングＰＤＣＣＨのＤＣＩの受信とＰＤＳＣＨの間の時間オフセットが閾値未満であると期待しなくてもよい。
【００６９】
一実施形態では、ＵＥがサービングセル内でＰＤＳＣＨを受信し、そのＰＤＳＣＨをスケジューリングするスケジューリングＰＤＣＣＨが別のサービングセル上で送信される場合であって、スケジューリングＰＤＣＣＨのＤＣＩの受信とＰＤＳＣＨの間の時間オフセットが閾値未満である場合、ＵＥは、サービングセル内でＰＤＳＣＨを、またはサービングセル内で残りのＰＤＳＣＨを受信および／またはデコードしない。
【００７０】
一実施形態では、ＵＥがサービングセル内でＰＤＳＣＨを受信し、そのＰＤＳＣＨをスケジューリングするスケジューリングＰＤＣＣＨが別のサービングセル上で送信される場合であって、スケジューリングＰＤＣＣＨのＤＣＩの受信とＰＤＳＣＨの間の時間オフセットが閾値未満である場合、ＵＥは、サービングセル内でＰＤＳＣＨを破棄するか、またはサービングセル内で残りのＰＤＳＣＨを破棄する。
【００７１】
一実施形態では、ＵＥがサービングセル内でＰＤＳＣＨを受信し、そのＰＤＳＣＨをスケジューリングするスケジューリングＰＤＣＣＨが別のサービングセル上で送信される場合であって、スケジューリングＰＤＣＣＨのＤＣＩの受信とＰＤＳＣＨの間の時間オフセットが閾値未満である場合、ＵＥは、スケジューリングＰＤＣＣＨが一貫性のない制御情報であると検出またはみなす。
【００７２】
一実施形態では、ＵＥがサービングセル内でＰＤＳＣＨを受信し、そのＰＤＳＣＨをスケジューリングするスケジューリングＰＤＣＣＨが別のサービングセル上で送信される場合であって、スケジューリングＰＤＣＣＨのＤＣＩの受信とＰＤＳＣＨの間の時間オフセットが閾値未満である場合、ＵＥは、サービングセル内でＰＤＳＣＨに対応する確認応答信号、例えばＡＣＫ／ＮＡＣＫをネットワークに送信しない。
【００７３】
特に、上記に開示した実施形態または概念は、TCI-PresentInDCIが「有効」に設定される場合と、TCI-PresentInDCIが「無効」に設定されるまたは設定されない場合の両方に適用可能である。例えば、TCI-PresentInDCIが「有効」に設定されるときと、TCI-PresentInDCIが「無効」に設定されるまたは設定されないときに、ＵＥがサービングセルでＰＤＳＣＨを受信し、そのＰＤＳＣＨをスケジューリングするスケジューリングＰＤＣＣＨが別のサービングセル上で送信される場合であって、スケジューリングＰＤＣＣＨのＤＣＩの受信とＰＤＳＣＨの間の時間オフセットが閾値未満である場合、ＵＥはサービングセル内でＰＤＳＣＨに対応する確認応答信号、例えばＡＣＫ／ＮＡＣＫをネットワークに送信しない。
【００７４】
場合によっては、閾値は、ＵＥがＰＤＣＣＨを首尾よくデコードするのに必要な時間に関連する。
【００７５】
場合によっては、閾値はＵＥ能力に関連する。
【００７６】
場合によっては、閾値はThreshold-Sched-Offsetとすることができる。
【００７７】
上記に開示した概念は、少なくとも（限定されるものではないが）以下の実施形態に適用可能である。
【００７８】
一実施形態では、ＵＥには、第１のサービングセルおよび第２のサービングセルが設定される。第１のサービングセルの制御信号は、第２のサービングセル、例えば、ＰＤＳＣＨをスケジューリングするＰＤＣＣＨ上で送信される。第１のサービングセルの下りリンクデータ送信は、第１のサービングセル上で送信される。ＵＥは、第２のサービングセルのスケジューリングＣＯＲＥＳＥＴ上で送信された第１のＰＤＣＣＨを受信または監視する。第１のＰＤＳＣＨは、第１のサービングセル上で送信される。一例では、第１のＰＤＣＣＨは、第１のＰＤＳＣＨをスケジューリングしてもよい。
【００７９】
一例では、ＵＥは、スケジューリングＣＯＲＥＳＥＴ上で送信された第２のＰＤＣＣＨを受信または監視する。一例において、第２のＰＤＳＣＨは、第２のサービングセル上で送信される。第２のＰＤＣＣＨは、第２のＰＤＳＣＨをスケジュールしてもよい。
【００８０】
場合によっては、参照ＣＯＲＥＳＥＴは、１つ以上のＣＯＲＥＳＥＴがＵＥに対して設定される最新のスロット内の最低のＣＯＲＥＳＥＴ−ＩＤを持つＣＯＲＥＳＥＴである。
【００８１】
場合によっては、参照ＣＯＲＥＳＥＴは、第２のサービングセル上で送信される。
【００８２】
場合によっては、参照ＣＯＲＥＳＥＴは、第２のサービングセルのために設定されたＣＯＲＥＳＥＴであってもよい。
【００８３】
場合によっては、参照ＣＯＲＥＳＥＴは、第１のサービングセルのために設定されたＣＯＲＥＳＥＴであってもよい。
【００８４】
場合によっては、参照ＣＯＲＥＳＥＴは、第１のサービングセルのために設定されたＣＯＲＥＳＥＴおよび第２のサービングセルために設定されたＣＯＲＥＳＥＴのうち最低のＣＯＲＥＳＥＴ−ＩＤを有するＣＯＲＥＳＥＴであってもよい。
【００８５】
ＵＥが第２のＰＤＣＣＨを首尾よくデコードする前に、ＵＥは、第２のＰＤＳＣＨを受信するためのＰＤＳＣＨアンテナポートの準同一位置が、参照ＣＯＲＥＳＥＴを受信するための準同一位置情報に基づくと想定してもよい。
【００８６】
代替的に、ＵＥが第１のＰＤＣＣＨを首尾よくデコードする前に、ＵＥは、第１のＰＤＳＣＨを受信するためのＰＤＳＣＨアンテナポートの準同一位置が、参照ＣＯＲＥＳＥＴを受信するための準同一位置情報に基づかないと想定してもよい。
【００８７】
代替的に、ＵＥが第１のＰＤＣＣＨを首尾よくデコードする前に、ＵＥは、参照ＣＯＲＥＳＥＴを受信するためではないＴＣＩ状態に基づいてＰＤＳＣＨアンテナポート準同一位置を決定してもよく、ここで、ＰＤＳＣＨアンテナポート準同一位置は、スケジューリングされるサービングセル内の第１のＰＤＳＣＨを受信するためのものである。
【００８８】
ＵＥが第１のＰＤＣＣＨを首尾よくデコードする前に、第１のＰＤＳＣＨに適用されるＴＣＩ状態を決定するために、またはＰＤＳＣＨアンテナポートの準同一位置を決定するために、以下の代替案が提供される。
【００８９】
一つの代替案は、次のようである。すなわち、ＵＥが第１のＰＤＣＣＨを首尾よくデコードする前に、ＵＥはデフォルトのＴＣＩ状態に基づいて第１のＰＤＳＣＨを受信するためのＰＤＳＣＨアンテナポート準同一位置を決定する。
【００９０】
一実施形態では、ＵＥが第１のＰＤＣＣＨを首尾よくデコードする前に、ＵＥは、デフォルトのＴＣＩ状態から導出されたＰＤＳＣＨアンテナポート準同一位置を介して第１のＰＤＳＣＨを受信する。
【００９１】
一実施形態では、ＵＥは、第１のＰＤＣＣＨのＤＬ  ＤＣＩの受信と第１のＰＤＳＣＨの間の時間オフセットが、閾値Threshold-Sched-Offset以上である場合、示されたＴＣＩ状態によって与えられるＱＣＬタイプパラメータに関して、第１のＰＤＳＣＨの１つのＤＭ−ＲＳポートグループのアンテナポートが、ＲＳセット内のＲＳと準同一位置にあると想定してもよく、ここで、閾値はＵＥ能力に基づく。
【００９２】
一実施形態では、TCI-PresentInDCI＝「有効」のとき、およびTCI-PresentInDCI＝「無効」または設定されていないときの両方の場合について、第１のＰＤＣＣＨの下りリンク制御情報（ＤＣＩ）の受信と第１のＰＤＳＣＨの間のオフセットが閾値Threshold-Sched-Offset未満である場合、ＵＥは、第１のＰＤＳＣＨの１つのＤＭ−ＲＳポートグループのアンテナポートが、デフォルトのＴＣＩ状態に基づいて準同一位置にされると想定してもよい。
【００９３】
一実施形態では、デフォルトのＴＣＩ状態は、第１のサービングセルにおいてＰＤＳＣＨを受信するためのアクティブにされたＴＣＩ状態におけるＴＣＩ状態のうちの１つである。
【００９４】
追加的、または代替的に、デフォルトのＴＣＩ状態は、第１のサービングセルにおいてＰＤＳＣＨを受信するためのＴＣＩフィールド内のコードポイントのうちの１つにマッピングされたＴＣＩ状態である。
【００９５】
追加的、または代替的に、デフォルトのＴＣＩ状態は、第１のサービングセルにおいてＰＤＳＣＨを受信するために、アクティブされたＴＣＩ状態における最低のＴＣＩ状態ＩＤを有するＴＣＩ状態である。
【００９６】
追加的、または代替的に、デフォルトのＴＣＩ状態は、第１のサービングセルにおいてＰＤＳＣＨを受信するために、アクティブにされたＴＣＩフィールド内のコードポイント０にマッピングされたＴＣＩ状態である。
【００９７】
追加的、または代替的に、デフォルトのＴＣＩ状態は、第１のサービングセルおよび／または第２のサービングセルのために設定されたＣＯＲＥＳＥＴのうちの少なくとも１つを受信するために適用されるＴＣＩ状態である。
【００９８】
追加的、または代替的に、デフォルトのＴＣＩ状態は、第１のサービングセルおよび／または第２のサービングセルのために設定されたＣＯＲＥＳＥＴうちで最低のＣＯＲＥＳＥＴ  ＩＤを有するＣＯＲＥＳＥＴを受信するために適用されるＴＣＩ状態である。
【００９９】
別の代替案は以下の通りである。すなわち、少なくとも参照ＣＯＲＥＳＥＴを受信するために適用されるＴＣＩ状態は、少なくとも、第１のサービングセルにおいて送信される参照信号のインデックスおよび対応するＱＣＬタイプに関連付けられている。
【０１００】
追加的、または代替的に、少なくとも参照ＣＯＲＥＳＥＴを受信するために適用されるＴＣＩ状態は、少なくとも、第１の参照信号のインデックスおよび第２の参照信号のインデックスおよび対応するＱＣＬタイプと関連付けられる。第１の参照信号は、第１のサービングセルで送信され、第２の参照信号は、第２のサービングセルで送信される。
【０１０１】
ＵＥが第２のＰＤＣＣＨを首尾よくデコードする前に、ＵＥは、第２のＰＤＳＣＨを受信するためのＴＣＩ状態が、参照ＣＯＲＥＳＥＴに適用されるＴＣＩ状態と同一であると想定し、ＵＥは、ＴＣＩ状態を解釈するときに、第２の参照信号のインデックスおよび対応するＱＣＬタイプを参照する。一例では、ＵＥは、参照ＣＯＲＥＳＥＴを受信するのに適用されるＴＣＩ状態において第２の参照信号のインデックスおよび対応するＱＣＬタイプから導出されるＰＤＳＣＨアンテナポート準同一位置を介して第２のＰＤＳＣＨを受信する。
【０１０２】
ＵＥが第１のＰＤＣＣＨを首尾よくデコードする前に、ＵＥは、第１のＰＤＳＣＨを受信するためのＴＣＩ状態が、参照ＣＯＲＥＳＥＴに適用されるＴＣＩ状態と同一であると想定し、ＵＥは、ＴＣＩ状態を解釈するときに、第１の参照信号のインデックスおよび対応するＱＣＬタイプを参照する。一実施形態では、ＵＥは、参照ＣＯＲＥＳＥＴを受信するのに適用されるＴＣＩ状態において、第１の参照信号のインデックスおよび対応するＱＣＬタイプから導出されるＰＤＳＣＨアンテナポート準同一位置を介して第１のＰＤＳＣＨを受信する。
【０１０３】
一実施形態では、ＵＥは、第１のＰＤＳＣＨの１つのＤＭ−ＲＳポートグループのアンテナポートが、第１のＰＤＣＣＨのＤＬ  ＤＣＩの受信と第１のＰＤＳＣＨの間の時間オフセットが閾値Threshold-Sched-Offset以上である場合、示されたＴＣＩ状態によって与えられるＱＣＬタイプパラメータに関して、ＲＳセット内のＲＳと準同一位置にされると想定することができ、ここで、閾値はＵＥ能力に基づく。
【０１０４】
一実施形態では、TCI-PresentInDCI＝「有効」のとき、およびTCI-PresentInDCI＝「無効」または設定されてないときの場合について、第２のＰＤＣＣＨのＤＬ  ＤＣＩの受信と第２のＰＤＳＣＨの間のオフセットが閾値Threshold-Sched-Offset未満である場合、ＵＥは、第２のＰＤＳＣＨの１つのＤＭ−ＲＳポートグループのアンテナポートが、参照ＣＯＲＥＳＥＴに使用されるＱＣＬタイプパラメータに関して、ＲＳセットうちの第２の参照信号と準同一位置にされると想定してもよい。
【０１０５】
一実施形態では、TCI-PresentInDCI＝「有効」のとき、およびTCI-PresentInDCI＝「無効」または設定されていないときの場合について、第１のＰＤＣＣＨのＤＬ  ＤＣＩの受信と第１のＰＤＳＣＨの間のオフセットが閾値Threshold-Sched-Offset未満である場合、ＵＥは、第１のＰＤＳＣＨの１つのＤＭ−ＲＳポートグループのアンテナポートが、参照ＣＯＲＥＳＥＴに使用されるＱＣＬタイプパラメータに関して、ＲＳセット内の第１の参照信号と準同一位置にされると想定してもよい。
【０１０６】
一実施形態では、参照ＣＯＲＥＳＥＴを受信するのに適用されるＴＣＩ状態と第１の参照信号の関連付けは、第１のサービングセルの設定、例えば、クロスキャリア・スケジューリングに関連する設定CrossCarrierSchedulingConfig、において設定される。
【０１０７】
一実施形態では、参照ＣＯＲＥＳＥＴを受信するのに適用されるＴＣＩ状態と第１の参照信号の関連付けは、第２のサービングセルの設定、例えば、第２のサービングセルのＣＯＲＥＳＥＴ設定において設定される。
【０１０８】
別の代替案は以下の通りである。すなわち、ＵＥが第１のＰＤＣＣＨを首尾よくデコードする前に、ＵＥは、第１のＰＤＳＣＨを受信するためのＴＣＩ状態が、参照ＣＯＲＥＳＥＴに適用されるＴＣＩ状態と同一であると想定する。
【０１０９】
いくつかの例示的な実施形態において、参照ＣＯＲＥＳＥＴを受信するために適用されるＴＣＩ状態は、第２のサービングセル上で送信される参照信号のインデックスおよび対応するＱＣＬタイプに関連付けられる。
【０１１０】
いくつかの例示的な実施形態では、ＵＥが第１のＰＤＣＣＨを首尾よくデコードする前に、ＵＥは、第１のサービングセルにおいて送信される第１の参照信号のインデックスおよび対応するＱＣＬタイプから導出されたＰＤＳＣＨアンテナポートを介して準同一位置を介して第１のＰＤＳＣＨを受信する。
【０１１１】
いくつかの例示的な実施形態では、第１の参照信号は、第２の参照信号に関連付けられる。
【０１１２】
いくつかの例示的な実施形態では、第１の参照信号は、第２の参照信号から導出される。
【０１１３】
いくつかの例示的な実施形態では、第１の参照信号と第２の参照信号の関連付けは、ＵＥに（明示的に）設定される。
【０１１４】
いくつかの例示的な実施形態では、第１の参照信号と第２の参照信号の関連付けは、ＵＥに対して指定、例えば、仕様に指定される。
【０１１５】
いくつかの例示的な実施形態では、第１の参照信号と第２の参照信号の関連付けは（暗黙的に）ＵＥによって導出される。
【０１１６】
いくつかの例示的な実施形態では、第１の参照信号と第２の参照信号の関連付けは、ルール、例えば、第１の参照信号のインデックスと第２の参照信号のインデックスの間のマッピングを介して（黙示的に）ＵＥによって導出される。
【０１１７】
いくつかの例示的な実施形態では、ＵＥは、第１のＰＤＳＣＨの１つのＤＭ−ＲＳポートグループのアンテナポートが、第１のＰＤＣＣＨのＤＬ  ＤＣＩの受信と第１のＰＤＳＣＨの間の時間オフセットが閾値Threshold-Sched-Offset以上である場合、示されたＴＣＩ状態によって与えられるＱＣＬタイプパラメータに関して、ＲＳセット内のＲＳと準同一位置にされると想定してもよく、ここで、閾値はＵＥ能力に基づく。
【０１１８】
いくつかの例示的な実施形態において、TCI-PresentInDCI＝「有効」のとき、およびTCI-PresentInDCI＝「無効」または設定されていないときの場合について、第２のＰＤＣＣＨのＤＬ  ＤＣＩの受信と第２のＰＤＳＣＨの間のオフセットが閾値Threshold-Sched-Offset未満である場合、ＵＥは、第２のＰＤＳＣＨの１つのＤＭ−ＲＳポートグループのアンテナポートが、参照ＣＯＲＥＳＥＴに使用されるＱＣＬタイプパラメータに関して、ＲＳセット内の第２の参照信号と準同一位置にされると想定してもよい。
【０１１９】
いくつかの例示的な実施形態において、TCI-PresentInDCI＝「有効」のとき、およびTCI-PresentInDCI＝「無効」または設定されていないときの場合について、第１のＰＤＣＣＨのＤＬ  ＤＣＩの受信と第１のＰＤＳＣＨのＤＬ  ＤＣＩの間のオフセットが閾値Threshold-Sched-Offset未満である場合、ＵＥは、第１のＰＤＳＣＨの１つのＤＭ−ＲＳポートグループのアンテナポートが、第１の参照信号と準同一にされると想定してもよく、ここで、第１の参照信号は、参照ＣＯＲＥＳＥＴに使用されるＱＣＬタイプパラメータに関して、ＲＳセット内の第２の参照信号と関連付けられる。
【０１２０】
別の実施形態では、ＵＥには、第１のサービングセルおよび第２のサービングセルが設定される。第１のサービングセルの制御信号は、第２のサービングセル、例えば、ＰＤＳＣＨをスケジューリングするＰＤＣＣＨ上で送信される。第１のサービングセルの下りリンクデータ送信は、第１のサービングセル上で送信される。ＵＥは、第２のサービングセルのスケジューリングＣＯＲＥＳＥＴ上で送信された第１のＰＤＣＣＨを受信または監視する。第１のＰＤＳＣＨは、第１のサービングセル上で送信される。一例において、第１のＰＤＣＣＨは、第１のＰＤＳＣＨをスケジュールしてもよい。
【０１２１】
一実施形態では、ＵＥは、スケジューリングＣＯＲＥＳＥＴ上で送信された第２のＰＤＣＣＨを受信または監視する。一実施形態では、第２のＰＤＳＣＨは、第２のサービングセル上で送信される。第２のＰＤＣＣＨは、第２のＰＤＳＣＨをスケジュールしてもよい。
【０１２２】
例示的な一実施形態では、参照ＣＯＲＥＳＥＴは、１つ以上のＣＯＲＥＳＥＴがＵＥに対して設定される最新のスロット内の最低のＣＯＲＥＳＥＴ−ＩＤを有するＣＯＲＥＳＥＴである。
【０１２３】
例示的な一実施形態では、参照ＣＯＲＥＳＥＴは、第２のサービングセル上で送信される。
【０１２４】
例示的な一実施形態では、参照ＣＯＲＥＳＥＴは、第２のサービングセルのために設定されるＣＯＲＥＳＥＴとしてもよい。
【０１２５】
追加的、または代替的に、参照ＣＯＲＥＳＥＴは、第１のサービングセルために設定されたＣＯＲＥＳＥＴとしてもよい。
【０１２６】
追加的、または代替的に、参照ＣＯＲＥＳＥＴは、第１のサービングセルために設定されたＣＯＲＥＳＥＴおよび第２のサービングセルために設定されたＣＯＲＥＳＥＴのうちの最低のＣＯＲＥＳＥＴ−ＩＤを有するＣＯＲＥＳＥＴとしてよい。
【０１２７】
例示的な一実施形態では、ＵＥが第２のＰＤＣＣＨを首尾よくデコードする前に、ＵＥは、第２のＰＤＳＣＨを受信するためのＰＤＳＣＨアンテナポートの準同一位置が、参照ＣＯＲＥＳＥＴを受信するための準同一位置情報に基づくと想定してもよい。
【０１２８】
例示的な一実施形態では、ＵＥが第１のＰＤＣＣＨを首尾よくデコードする前に、ＵＥは、上位レイヤ構成に基づいて、第１のＰＤＳＣＨを受信するためのＰＤＳＣＨアンテナポートの準同一位置を決定してもよい。
【０１２９】
例示的な一実施形態では、ＵＥが第１のＰＤＣＣＨを首尾よくデコードする前に、ＵＥは、インジケータに基づいて第１のＰＤＳＣＨを受信するためのＰＤＳＣＨアンテナポートの準同一位置を決定してもよい。
【０１３０】
ＵＥが第１のＰＤＣＣＨを首尾よくデコードする前に、第１のＰＤＳＣＨに適用されるＴＣＩ状態を決定するために、またはＰＤＳＣＨアンテナポート準同一位置を決定するために、以下の代替案が提供される。
【０１３１】
代替案としては、以下のものがある。ＵＥが第１のＰＤＣＣＨを首尾よくデコードする前に、ＵＥは、第１のＰＤＳＣＨを受信するＴＣＩ状態がデフォルトのＴＣＩ状態と同一であると想定する。
【０１３２】
例示的な一実施形態では、ＵＥが第１のＰＤＣＣＨを首尾よくデコードする前に、ＵＥは、デフォルトのＴＣＩ状態から導出されたＰＤＳＣＨアンテナポート準同一位置を介して第１のＰＤＳＣＨを受信する。
【０１３３】
例示的な一実施形態では、デフォルトのＴＣＩ状態は、インジケータに基づく。
【０１３４】
例示的な一実施形態では、インジケータが「１」または「真（Ｔｒｕｅ）」もしくは「有効」を示す場合、デフォルトのＴＣＩ状態は、参照ＣＯＲＥＳＥＴを受信するためのＴＣＩ状態と同一である。
【０１３５】
例示的な一実施形態では、インジケータが「０」または「偽（Ｆａｌｓｅ）」もしくは「無効」を示す場合、デフォルトのＴＣＩ状態は、参照ＣＯＲＥＳＥＴを受信するためではないＴＣＩ状態と同一である。
【０１３６】
例示的な一実施形態では、インジケータが「０」または「偽」もしくは「無効」を示す場合、デフォルトのＴＣＩ状態は、第１のサービングセルにおいてＰＤＳＣＨを受信するためのアクティブにされたＴＣＩ状態におけるＴＣＩ状態のうちの１つである。
【０１３７】
追加的、または代替的に、インジケータが「０」または「偽」もしくは「無効」を示す場合、デフォルトのＴＣＩ状態は、第１のサービングセルにおいてＰＤＳＣＨを受信するためのＴＣＩフィールド内のコードポイントの１つにマッピングされたＴＣＩ状態である。
【０１３８】
追加的、または代替的に、インジケータが「０」または「偽」もしくは「無効」を示す場合、デフォルトのＴＣＩ状態は、第１のサービングセルでＰＤＳＣＨを受信するためのアクティブにされたＴＣＩ状態における最低のＴＣＩ状態ＩＤを有するＴＣＩ状態である。
【０１３９】
追加的、または代替的に、インジケータが「０」または「偽」もしくは「無効」を示す場合、デフォルトのＴＣＩ状態は、第１のサービングセルにおいてＰＤＳＣＨを受信するためのＴＣＩフィールドのコードポイント０にマッピングされたＴＣＩ状態である。
【０１４０】
追加的、または代替的に、インジケータが「０」または「偽」もしくは「無効」を示す場合、デフォルトのＴＣＩ状態は、第１のサービングセルおよび／または第２のサービングセルのために設定されたＣＯＲＥＳＥＴの少なくとも１つを受信するために適用されるＴＣＩ状態である。
【０１４１】
追加的、または代替的に、インジケータが「０」または「偽」もしくは「無効」を示す場合、デフォルトのＴＣＩ状態は、第１のサービングセルおよび／または第２のサービングセルのために設定されたＣＯＲＥＳＥＴのうち最低のＣＯＲＥＳＥＴ  ＩＤを有するＣＯＲＥＳＥＴを受信するのに適用されるＴＣＩ状態である。
【０１４２】
代替的、または追加的に、インジケータの値からの反対の結果は排除されない。
【０１４３】
代替的、または追加的に、インジケータの値にかからわず、ＵＥが第２のＰＤＣＣＨを首尾よくデコードする前に、ＵＥは、第２のＰＤＳＣＨを受信するためのＴＣＩ状態が、参照ＣＯＲＥＳＥＴを受信するためのＴＣＩ状態と同一であると想定する。
【０１４４】
例示的な一実施形態では、ＵＥは、第１のＰＤＳＣＨの１つのＤＭ−ＲＳポートグループのアンテナポートが、第１のＰＤＣＣＨのＤＬ  ＤＣＩの受信と第１のＰＤＳＣＨの間の時間オフセットが閾値Threshold-Sched-Offset以上である場合、示されたＴＣＩ状態によって与えられるＱＣＬタイプパラメータに関して、ＲＳセット内のＲＳと準同一位置されると想定してもよく、ここで、閾値はＵＥ能力に基づく。
【０１４５】
例示的な一実施形態では、TCI-PresentInDCI＝「有効」のとき、およびTCI-PresentInDCI＝「無効」または設定されていないときの場合について、第１のＰＤＣＣＨのＤＬ  ＤＣＩの受信と第１のＰＤＳＣＨとのオフセットが閾値Threshold-Sched-Offset未満である場合、インジケータの値に従って、ＵＥは、第１のＰＤＳＣＨの１つのＤＭ−ＲＳポートグループのアンテナポートがデフォルト状態に基づいて準同一位置にされると想定してもよい。
【０１４６】
別の代替案は以下の通りである。すなわち、少なくとも、参照ＣＯＲＥＳＥＴを受信するために適用されるＴＣＩ状態は、少なくとも、第１のサービングセルにおいて送信される参照信号のインデックスおよび対応するＱＣＬタイプに関連付けられる。
【０１４７】
追加的、または代替的に、少なくとも、参照ＣＯＲＥＳＥＴを受信するのに適用されるＴＣＩ状態は、少なくとも、第１の参照信号のインデックス、第２の参照信号のインデックス、および対応するＱＣＬタイプに関連付けられる。第１の参照信号は、第１のサービングセル上で送信され、第２の参照信号は、第２のサービングセル上で送信される。
【０１４８】
例示的な一実施形態では、インジケータが「１」または「真」もしくは「有効」を示す場合、ＵＥが第１のＰＤＣＣＨを首尾よくデコードする前に、ＵＥは、第１のＰＤＳＣＨを受信するためのＴＣＩ状態が、参照ＣＯＲＥＳＥＴを受信するのに適用されるＴＣＩ状態と同一であると想定し、ＵＥは、参照ＣＯＲＥＳＥＴを受信するためにＴＣＩ状態を解釈するときに、第１の参照信号のインデックスおよび対応するＱＣＬタイプを参照し、一例では、ＵＥは、参照ＣＯＲＥＳＥＴを受信するのに適用されるＴＣＩ状態において第１の参照信号のインデックスおよび対応するＱＣＬタイプから導出されるＰＤＳＣＨアンテナポート準同一位置を介して、第１のＰＤＳＣＨを受信する。
【０１４９】
例示的な一実施形態では、インジケータが「０」または「偽」もしくは「無効」を示す場合、ＵＥが第１のＰＤＣＣＨを首尾よくデコードする前に、ＵＥは、第１のＰＤＳＣＨを受信するためのＴＣＩ状態が、参照ＣＯＲＥＳＥＴを受信するのに適用されるＴＣＩ状態と同一であると想定し、ＵＥは、参照ＣＯＲＥＳＥＴを受信するためのＴＣＩ状態を解釈するときに、第２の参照信号のインデックスおよび対応するＱＣＬタイプを参照し、例示的な一実施形態では、ＵＥは、参照ＣＯＲＥＳＥＴを受信するのに適用されるＴＣＩ状態において第２の参照信号のインデックスおよび対応するＱＣＬタイプから導出されるＰＤＳＣＨアンテナポート準同一位置を介して、第１のＰＤＳＣＨを受信する。
【０１５０】
例示的な一実施形態では、インジケータの値からの反対の結果は排除されない。
【０１５１】
例示的な一実施形態では、インジケータの値にかかわらず、ＵＥが第２のＰＤＣＣＨを首尾よくデコードする前に、ＵＥは、第２のＰＤＳＣＨを受信するためのＴＣＩ状態が、参照ＣＯＲＥＳＥＴを受信するために適用されるＴＣＩ状態と同一であると想定し、ＵＥは、インジケータの値にかかわらず、ＴＣＩ状態を解釈する際に、第２の参照信号のインデックスおよび対応するＱＣＬタイプを参照する。例示的な一実施形態では、ＵＥは、参照ＣＯＲＥＳＥＴを受信するために適用されるＴＣＩ状態において、第２の参照信号のインデックスおよび対応するＱＣＬタイプから導出されるＰＤＳＣＨアンテナポート準同一位置を介して第１のＰＤＳＣＨを受信する。
【０１５２】
例示的な一実施形態では、参照ＣＯＲＥＳＥＴに適用されるＴＣＩ状態と第１の参照信号の間の関連付けは、第１のサービングセルの設定、例えば、クロスキャリア・スケジューリングに関連する設定CrossCarrierSchedulingConfig、において設定される。
【０１５３】
例示的な一実施形態では、参照ＣＯＲＥＳＥＴのために適用されるＴＣＩ状態と第１の参照信号の間の関連付けは、第２のサービングセルの設定、例えば、第２のサービングセルのＣＯＲＥＳＥＴ設定において設定される。
【０１５４】
例示的な一実施形態では、ＵＥは、第１のＰＤＳＣＨの１つのＤＭ−ＲＳポートグループのアンテナポートが、第１のＰＤＣＣＨのＤＬ  ＤＣＩの受信と第１のＰＤＳＣＨの間の時間オフセットが閾値Threshold-Sched-Offset以上である場合、示されたＴＣＩ状態によって与えられるＱＣＬタイプパラメータに関して、ＲＳセット内のＲＳと準同一位置にされると想定してもよく、閾値はＵＥ能力に基づく。
【０１５５】
例示的な一実施形態では、TCI-PresentInDCI＝「有効」であるとき、およびTCI-PresentInDCI＝「無効」または設定されないときの場合について、インジケータの値に従って、第２のＰＤＣＣＨのＤＬ  ＤＣＩの受信と第２のＰＤＳＣＨの間のオフセットが閾値Threshold-Sched-Offset未満である場合、ＵＥは、第２のＰＤＳＣＨの１つのＤＭ−ＲＳポートグループのアンテナポートが、参照ＣＯＲＥＳＥＴに使用されるＱＣＬタイプパラメータに関して、ＲＳセット内の第２の参照信号と準同一位置にされると想定してもよい。
【０１５６】
例示的な一実施形態では、TCI-PresentInDCI＝「有効」のとき、およびTCI-PresentInDCI＝「無効」または設定されないときの場合について、インジケータの値に従って、第１のＰＤＣＣＨのＤＬ  ＤＣＩの受信と第１のＰＤＳＣＨのＤＬ  ＤＣＩの間のオフセットが閾値Threshold-Sched-Offset未満である場合、ＵＥは、第１のＰＤＳＣＨの１つのＤＭ−ＲＳポートグループのアンテナポートが、参照ＣＯＲＥＳＥＴに使用されるＱＣＬタイプパラメータに関して、ＲＳセット内の第１の参照信号と準同一位置にされると想定してもよい。
【０１５７】
別の代替案は、インジケータが「１」または「真」もしくは「有効」を示す場合、参照ＣＯＲＥＳＥＴを受信するのに適用されるＴＣＩ状態は、第２のサービングセルで送信される参照信号のインデックスおよび対応するＱＣＬタイプと関連付けられる。ＵＥが第１のＰＤＣＣＨを首尾よくデコードする前に、ＵＥは、第１のＰＤＳＣＨを受信するためのＴＣＩ状態が、参照ＣＯＲＥＳＥＴを受信するために適用されたＴＣＩ状態と同一であると想定する。ＵＥが第２のＰＤＣＣＨを首尾よくデコードする前に、ＵＥは、第２のＰＤＳＣＨを受信するためのＴＣＩ状態が、参照ＣＯＲＥＳＥＴを受信するために適用されたＴＣＩ状態と同一であると想定する。
【０１５８】
インジケータが「０」または「偽」もしくは「無効」を示す場合、少なくとも、参照ＣＯＲＥＳＥＴを受信するのに適用されるＴＣＩ状態は、少なくとも、第１の参照信号のインデックス、第２の参照信号のインデックス、および対応するＱＣＬタイプに関連付けられる。第１の参照信号は、第１のサービングセル上で送信され、第２の参照信号は、第２のサービングセル上で送信される。
【０１５９】
インジケータが「０」または「偽」もしくは「無効」を示す場合、ＵＥが第１のＰＤＣＣＨを首尾よくデコードする前に、ＵＥは、第１のＰＤＳＣＨを受信するためのＴＣＩ状態が参照ＣＯＲＥＳＥＴを受信するために適用されるＴＣＩ状態と同一であると想定し、ＵＥは、ＴＣＩ状態を解釈するときに、第１の参照信号のインデックスおよび対応するＱＣＬタイプを参照し、一例では、ＵＥは、参照ＣＯＲＥＳＥＴを受信するのに適用されたＴＣＩ状態において第１の参照信号のインデックスおよび対応するＱＣＬタイプから導出されるＰＤＳＣＨアンテナポート準同一位置を介して、第１のＰＤＳＣＨを受信する。
【０１６０】
インジケータが「０」または「偽」もしくは「無効」を示す場合、ＵＥが第２のＰＤＣＣＨを首尾よくデコードする前に、ＵＥは、第２のＰＤＳＣＨを受信するためのＴＣＩ状態が参照ＣＯＲＥＳＥＴを受信するのに適用されたＴＣＩ状態と同一であると想定し、ＵＥは、ＴＣＩ状態を解釈するときに、第２の参照信号のインデックスおよび対応するＱＣＬタイプを参照し、一例では、ＵＥは、参照ＣＯＲＥＳＥＴを受信するのに適用されたＴＣＩ状態において第２の参照信号のインデックスおよび対応するＱＣＬタイプから導出されるＰＤＳＣＨアンテナポート準同一位置を介して、第２のＰＤＳＣＨを受信する。
【０１６１】
例示的な一実施形態では、インジケータの値からの反対の結果は排除されない。
【０１６２】
例示的な一実施形態では、参照ＣＯＲＥＳＥＴに適用されるＴＣＩ状態と第１の参照信号の間の関連性は、第１のサービングセルの設定、例えば、クロスキャリア・スケジューリングに関連する設定CrossCarrierSchedulingConfig、において設定される。
【０１６３】
例示的な一実施形態では、参照ＣＯＲＥＳＥＴに適用されるＴＣＩ状態と第１の参照信号の間の関連付けは、第２のサービングセルの設定、例えば、第２のサービングセルのＣＯＲＥＳＥＴ設定において設定される。
【０１６４】
例示的な一実施形態では、ＵＥは、第１のＰＤＳＣＨの１つのＤＭ−ＲＳポートグループのアンテナポートが、第１のＰＤＣＣＨのＤＬ  ＤＣＩの受信と第１のＰＤＳＣＨの間の時間オフセットが閾値Threshold-Sched-Offset以上である場合、示されたＴＣＩ状態によって与えられるＱＣＬタイプパラメータに関して、ＲＳセット内のＲＳと準同一位置されると想定してもよく、ここで、閾値はＵＥ能力に基づく。
【０１６５】
例示的な一実施形態では、TCI-PresentInDCI＝「有効」のとき、TCI-PresentInDCI＝「無効」または設定されないときの場合について、インジケータの値に従って、第２のＰＤＣＣＨのＤＬ  ＤＣＩの受信と第２のＰＤＳＣＨのオフセットが閾値Threshold-Sched-Offset未満である場合、ＵＥは、第１のＰＤＳＣＨの１つのＤＭ−ＲＳポートグループのアンテナポートが、参照ＣＯＲＥＳＥＴに使用されるＱＣＬタイプパラメータに関して,
ＲＳセット内のＲＳと準同一位置にされると想定してもよい。
【０１６６】
例示的な一実施形態では、TCI-PresentInDCI＝「有効」のとき、TCI-PresentInDCI＝「無効」または設定されないときの場合について、インジケータの値に従って、第１のＰＤＣＣＨのＤＬ  ＤＣＩの受信と第１のＰＤＳＣＨの間のオフセットが閾値Threshold-Sched-Offset未満である場合、ＵＥは、第１のＰＤＳＣＨの１つのＤＭ−ＲＳポートグループのアンテナポートが、参照ＣＯＲＥＳＥＴに使用されるＱＣＬタイプパラメータに関してＲＳセット内の第１の参照信号と準同一位置にされると想定してもよい。
【０１６７】
別の実施形態では、ＵＥは、ネットワークによって第１のサービングセルおよび第２のサービングセルで設定される。第１のサービングセルの制御信号は、第２のサービングセル上で送信される。例えば、ＰＤＣＣＨがＰＤＳＣＨをスケジューリングする。第１のサービングセルの下りリンクデータ送信は、第１のサービングセル上で送信される。ＵＥは、第２のサービングセルのスケジューリングＣＯＲＥＳＥＴ上で送信された第１のＰＤＣＣＨを受信または監視する。第１のＰＤＳＣＨは、第１のサービングセル上で送信される。一実施形態では、第１のＰＤＣＣＨは、第１のＰＤＳＣＨをスケジューリングしてもよい。
【０１６８】
例示的な一実施形態では、ＵＥは、スケジューリングＣＯＲＥＳＥＴ上で送信された第２のＰＤＣＣＨを受信または監視する。第２のＰＤＳＣＨは、第２のサービングセル上で送信される。第２のＰＤＣＣＨは、第２のＰＤＳＣＨをスケジューリングしてもよい。
【０１６９】
例示的な一実施形態では、ＵＥは、第１のＰＤＣＣＨのＤＣＩの受信と第１のＰＤＳＣＨの間の時間オフセットが閾値Threshold-Sched-Offset未満であることが可能であることを示すパラメータをネットワークによって設定され得る。
【０１７０】
例示的な一実施形態では、ＵＥは、第１のＰＤＣＣＨのＤＣＩの受信と第１のＰＤＳＣＨの間の時間オフセットが閾値Threshold-Sched-Offset未満であることを示すパラメータをネットワークによって設定され得る。
【０１７１】
例示的な一実施形態では、ＵＥは、第１のＰＤＣＣＨのＤＣＩの受信と第１のＰＤＳＣＨの間の時間オフセットが閾値Threshold-Sched-Offset以上であることを示すパラメータをネットワークによって設定され得る。
【０１７２】
例示的な一実施形態では、ＵＥは、第２のＰＤＣＣＨのＤＣＩの受信と第２のＰＤＳＣＨの間の時間オフセットが閾値Threshold-Sched-Offset未満であることが可能であることを示すパラメータをネットワークによって設定され得る。
【０１７３】
例示的な一実施形態では、ＵＥは、第２のＰＤＣＣＨのＤＣＩの受信と第２のＰＤＳＣＨの間の時間オフセットが閾値Threshold-Sched-Offset未満であることを示すパラメータをネットワークによって設定され得る。
【０１７４】
代替的には、ＵＥは、第２のＰＤＣＣＨのＤＣＩの受信と第２のＰＤＳＣＨの間の時間オフセットが、閾値Threshold-Sched-Offset以上であることを示すネットワークパラメータによって設定され得る。
【０１７５】
上記に開示した実施形態のうちの１つ以上では、参照ＣＯＲＥＳＥＴは、ＵＥに対して１つ以上のＣＯＲＥＳＥＴが設定される最新のスロット内の最低のＣＯＲＥＳＥＴ−ＩＤを有するＣＯＲＥＳＥＴである。
【０１７６】
上記に開示した実施形態のうちの１つ以上では、参照ＣＯＲＥＳＥＴは、第２のサービングセル上で送信される。
【０１７７】
上記に開示した実施形態のうちの１つ以上では、参照ＣＯＲＥＳＥＴは、第２のサービングセル上のＵＥによって監視される。
【０１７８】
上記に開示した実施形態のうちの１つ以上では、ＵＥに対して１つ以上のＣＯＲＥＳＥＴが設定される最新のスロットとは、ＵＥによって監視されるように設定される１つ以上のＣＯＲＥＳＥＴを有する最新のスロットを意味する。
【０１７９】
上記に開示した実施形態のうちの１つ以上では、参照ＣＯＲＥＳＥＴは、ＵＥによって監視されるように設定される１つ以上のＣＯＲＥＳＥＴを有する最新のスロットを見つけることによって選択され、参照ＣＯＲＥＳＥＴは、最新のスロット内で監視されるＣＯＲＥＳＥＴのうちの最低のＣＯＲＥＳＥＴ−ＩＤを有するＣＯＲＥＳＥＴである。
【０１８０】
上記に開示した実施形態のうちの１つ以上では、参照ＣＯＲＥＳＥＴは、第２のサービングセルのために設定されるＣＯＲＥＳＥＴであってもよい。
【０１８１】
追加的または代替的に、参照ＣＯＲＥＳＥＴは、第１のサービングセルのために設定されたＣＯＲＥＳＥＴであってもよい。
【０１８２】
追加的または代替的に、参照ＣＯＲＥＳＥＴは、第１のサービングセルのために設定されたＣＯＲＥＳＥＴおよび第２のサービングセルのために設定されたＣＯＲＥＳＥＴのうち最低のＣＯＲＥＳＥＴ−ＩＤを有するＣＯＲＥＳＥＴであってもよい。
【０１８３】
上記に開示した実施形態のうちの１つ以上では、ＵＥは、第１のＰＤＣＣＨのＤＣＩの受信と第１のＰＤＳＣＨの間の時間オフセットが、閾値以上であると期待することができる。
【０１８４】
上記に開示した実施形態のうちの１つ以上では、ＵＥは、第１のＰＤＣＣＨのＤＣＩの受信と第１のＰＤＳＣＨの間の時間オフセットが閾値未満であると期待しなくてもよい。これは、ＵＥが第１のＰＤＣＣＨを首尾よくデコードする前に、ＵＥが第１のＰＤＳＣＨを受信および／またはバッファしないことを意味してもよい。また、これは、第１のＰＤＣＣＨのＤＣＩの受信と第１のＰＤＳＣＨの間の時間オフセットが閾値Threshold-Sched-Offset未満である場合、ＵＥが第１のＰＤＳＣＨを受信および／またはバッファしないことを意味してもよい。また、これは、ネットワークが、第１のＰＤＣＣＨのＤＣＩの受信と第１のＰＤＳＣＨの間の時間オフセットが閾値Threshold-Sched-Offset未満であることを防止したり、設定または構成したりすることが許容されないことを意味してもよい。また、これは、第１のＰＤＣＣＨのＤＣＩの受信と第１のＰＤＳＣＨの間の時間オフセットが閾値Threshold-Sched-Offset未満である場合、ネットワークが第１のＰＤＳＣＨを送信しないことを意味してもよい。
【０１８５】
追加的または代替的には、TCI-PresentInDCI＝「有効」であり、TCI-PresentInDCI＝「無効」または設定されていない場合には、ＵＥは、第１のＰＤＣＣＨのＤＣＩの受信と第１のＰＤＳＣＨの間の時間オフセットが閾値未満であると期待しなくてよい。
【０１８６】
上記に開示した実施形態のうちの１つ以上では、ＵＥは、ＵＥが第２のＰＤＣＣＨを首尾よくデコードする前に、参照ＣＯＲＥＳＥＴのＰＤＣＣＨ準同一位置指示に使用されるＴＣＩ状態を介して第２のＰＤＳＣＨを受信および／またはバッファしてもよい。
【０１８７】
上記に開示した実施形態のうちの１つ以上では、ＵＥは、第１のＰＤＣＣＨのＤＣＩの受信と第１のＰＤＳＣＨの間の時間オフセットが閾値Threshold-Sched-Offset未満である場合、参照ＣＯＲＥＳＥＴのＰＤＣＣＨ準同一位置指示に使用されるＴＣＩ状態を介して第２のＰＤＳＣＨを受信および／またはバッファしてもよい。
【０１８８】
上記に開示した実施形態のうちの１つ以上では、ネットワークは、第２のＰＤＣＣＨのＤＣＩの受信と第２のＰＤＳＣＨの間の時間オフセットが閾値Threshold-Sched-Offset未満である場合、参照ＣＯＲＥＳＥＴのＰＤＣＣＨ準同一位置指示に使用されるＴＣＩ状態に基づいて第２のＰＤＳＣＨを送信してもよい。
【０１８９】
上記に開示した実施形態のうちの１つ以上では、第１のＰＤＣＣＨのＤＣＩの受信と第１のＰＤＳＣＨの間の時間オフセットが閾値未満である場合、ＵＥは、第１のＰＤＳＣＨまたは第１のＰＤＳＣＨの残りの部分を受信および／またはデコードしない。
【０１９０】
上記に開示した実施形態のうちの１つ以上では、第１のＰＤＣＣＨのＤＣＩの受信と第１のＰＤＳＣＨの間の時間オフセットが閾値未満である場合、ＵＥは、第１のＰＤＳＣＨまたは第１のＰＤＳＣＨの残りの部分を破棄する。
【０１９１】
上記に開示した実施形態のうちの１つ以上では、第１のＰＤＣＣＨのＤＣＩの受信と第１のＰＤＳＣＨの間の時間オフセットが閾値未満である場合、ＵＥは、第１のＰＤＣＣＨを一貫性のない（inconsitent）制御情報として検出またはみなす。
【０１９２】
上記に開示した実施形態のうちの１つ以上では、第１のＰＤＣＣＨのＤＣＩの受信と第１のＰＤＳＣＨの間の時間オフセットが閾値未満である場合、ＵＥは、第１のＰＤＳＣＨに対応する確認応答信号（例えば、ＡＣＫ／ＮＡＣＫ）をネットワークに送信しない。これは、ネットワークがＵＥから確認応答信号を受信（すると期待）しないことを意味してもよく、ネットワークが第１のＰＤＳＣＨを送信し、第１のＰＤＣＣＨのＤＣＩの受信と第１のＰＤＳＣＨの間の時間オフセットが閾値Threshold-Sched-Offset未満である場合、確認応答信号は第１のＰＤＳＣＨに対応する。
【０１９３】
特に、上記に開示した実施形態は、TCI-PresentInDCI＝「有効」のとき、およびTCI-PresentInDCI＝「無効」、または設定されていないときに適用可能である。例えば、TCI-PresentInDCI＝「有効」のとき、およびTCI-PresentInDCI＝「無効」、または設定されていない場合に、第１のＰＤＣＣＨのＤＣＩの受信と第１のＰＤＳＣＨの間の時間オフセットが閾値未満である場合、ＵＥは、第１のＰＤＳＣＨに対応する確認応答信号（例えば、ＡＣＫ／ＮＡＣＫ）をネットワークに送信しない。
【０１９４】
上記に開示した実施形態のうちの１つ以上では、閾値は、ＵＥがＰＤＣＣＨを首尾よくデコードするのに必要な持続時間に関連する。追加的に、閾値はＵＥ能力に関連する。さらに、閾値はThreshold-Sched-Offsetとすることができる。
【０１９５】
上記に開示した実施形態のうちの１つ以上では、ＰＤＳＣＨの受信と対応するスケジューリングＤＣＩの間の時間オフセットが閾値未満である場合、ＵＥは、ＰＤＳＣＨをバッファしてもよい。
【０１９６】
上記に開示した実施形態のうちの１つ以上では、ＰＤＳＣＨの受信と対応するスケジューリングＤＣＩの間の時間オフセットが閾値未満である場合、ＵＥは、ＰＤＳＣＨをバッファしてもよく、これは、ＵＥが、対応するスケジューリングＤＣＩを首尾よくデコードする前にＰＤＳＣＨを受信する（ことを試みる）ことを意味する。
【０１９７】
上記に開示した実施形態のうちの１つ以上では、ネットワークがスケジューリングされるサービングセルのためにＣＯＲＥＳＥＴ設定を設定する場合、ＵＥは、スケジューリングするサービングセルのＣＯＲＥＳＥＴ内のＰＤＣＣＨを受信するための準同一位置情報を提供するパラメータを使用しなくてもよい。
【０１９８】
上記に開示した実施形態のうちの１つ以上では、ネットワークがスケジューリングされるサービングセルのためのＣＯＲＥＳＥＴ設定を設定する場合、ＵＥは、スケジューリングするサービングセルのＣＯＲＥＳＥＴ内のＰＤＣＣＨを受信するための準同一位置情報を提供するパラメータを無視してもよい。
【０１９９】
上記に開示した実施形態のうちの１つ以上では、ネットワークは、スケジューリングされるサービングセルのためのＣＯＲＥＳＥＴ設定を設定することを防止する。
【０２００】
上記に開示した実施形態のうちの１つ以上では、ネットワークがスケジューリングされるサービングセルのためのＣＯＲＥＳＥＴ設定を設定する場合、ＰＤＣＣＨを受信するための準同一位置情報を提供するパラメータは、設定されることが許容されない。
【０２０１】
上記に開示した実施形態のうちの１つ以上では、ネットワークがスケジューリングされるサービングセルのためにＣＯＲＥＳＥＴ設定を設定する場合、スケジューリングされるサービングセルのＰＤＣＣＨがスケジューリングするサービングセル上で送信されるとき、ＰＤＣＣＨを受信するための準同一位置情報を提供するパラメータは無視されるかまたは使用されない。
【０２０２】
例示的な一方法によれば、ＵＥは、第２のサービングセルのスケジューリングＣＯＲＥＳＥＴ上で送信された第１のＰＤＣＣＨを受信または監視し、ここで、第１のＰＤＣＣＨは、第１のサービングセル上で送信された第１のＰＤＳＣＨをスケジューリングし；ＵＥは、ＵＥが第１のＰＤＣＣＨを首尾よくデコードする前に、デフォルトのＴＣＩ状態から導出されるＰＤＳＣＨアンテナポート準同一位置を介して第１のＰＤＳＣＨを受信する。
【０２０３】
別の方法では、TCI-PresentInDCI＝「有効」およびTCI-PresentInDCI＝「無効」の場合に、第１のＰＤＣＣＨのＤＬ  ＤＣＩの受信と第１のＰＤＳＣＨの間のオフセットが閾値Threshold-Sched-Offset未満である場合、ＵＥは、第１のＰＤＳＣＨの１つのＤＭ−ＲＳポートグループのアンテナポートが、デフォルト状態で使用されるＴＣＩ状態に基づく準同一位置と想定してもよい。
【０２０４】
上記に開示した方法のうちの１つ以上では、デフォルトのＴＣＩ状態は、第１のサービングセル内でＰＤＳＣＨを受信するための活性化された（activated）ＴＣＩ状態におけるＴＣＩ状態のうちの１つである。
【０２０５】
上記に開示した方法のうちの１つ以上では、デフォルトのＴＣＩ状態は、第１のサービングセル内でＰＤＳＣＨを受信するためのＴＣＩフィールド内のコードポイントのうちの１つにマッピングされたＴＣＩ状態である。
【０２０６】
上記に開示した方法のうちの１つ以上では、デフォルトのＴＣＩ状態は、第１のサービングセル内でＰＤＳＣＨを受信するための活性化されたＴＣＩ状態において最低のＴＣＩ状態ＩＤを有するＴＣＩ状態である。
【０２０７】
上記に開示した方法のうちの１つ以上では、デフォルトのＴＣＩ状態は、第１のサービングセル内で少なくとも下りリンク送信を受信するための設定されたＴＣＩ状態において最低のＴＣＩ状態ＩＤを有するＴＣＩ状態である。
【０２０８】
上記に開示した方法のうちの１つ以上では、デフォルトのＴＣＩ状態は、第１のサービングセル内でＰＤＳＣＨを受信するためのＴＣＩフィールドのコードポイント０にマッピングされたＴＣＩ状態である。
【０２０９】
上記に開示した方法のうちの１つ以上では、デフォルトのＴＣＩ状態は、第１のサービングセルおよび／または第２のサービングセルに対して設定されたＣＯＲＥＳＥＴのうちの少なくとも１つを受信するために適用されるＴＣＩ状態である。
【０２１０】
上記に開示した方法のうちの１つ以上では、デフォルトのＴＣＩ状態は、第１のサービングセルおよび／または第２のサービングセルに対して設定されたＣＯＲＥＳＥＴのうち最低のＣＯＲＥＳＥＴ  ＩＤを有するＣＯＲＥＳＥＴを受信するために適用されるＴＣＩ状態である。
【０２１１】
上記に開示した方法のうちの１つ以上では、デフォルトのＴＣＩ状態は、第１のサービングセルおよび／または第２のサービングセルに対して設定されたＣＯＲＥＳＥＴのうち最低のＣＯＲＥＳＥＴ  ＩＤを有するＣＯＲＥＳＥＴを受信するために適用されるＴＣＩ状態である。
【０２１２】
別の例示的な方法によれば、ＵＥは、第２のサービングセルのスケジューリングＣＯＲＥＳＥＴ上で送信された第１のＰＤＣＣＨを受信または監視し、ここで、第１のＰＤＣＣＨは、第１のサービングセル上で送信された第１のＰＤＳＣＨをスケジューリングし、ＵＥは、ＵＥが第１のＰＤＣＣＨを首尾よくデコードする前に、第１のＰＤＳＣＨのＴＣＩ状態が参照ＣＯＲＥＳＥＴを受信するために適用されたＴＣＩ状態と同一であると想定し；ＵＥは、第１のサービングセル内で送信された第１の参照信号のインデックスおよび参照ＣＯＲＥＳＥＴを受信するために適用されたＴＣＩ状態における対応するＱＣＬタイプから導出したＰＤＳＣＨアンテナポート準同一位置を介して第１のＰＤＳＣＨを受信する。
【０２１３】
別の方法では、参照ＣＯＲＥＳＥＴは、ＵＥに対して１つ以上のＣＯＲＥＳＥＴが設定される最新のスロット内の最低のＣＯＲＥＳＥＴ−ＩＤを有する第２のサービングセルに対して設定されたＣＯＲＥＳＥＴである。
【０２１４】
上記に開示した方法のうちの１つ以上では、ＵＥは、参照ＣＯＲＥＳＥＴに適用されるＴＣＩ状態を解釈するときに、第１の参照信号のインデックスおよび対応するＱＣＬタイプを参照する。
【０２１５】
上記に開示した方法のうちの１つ以上では、ＵＥは、スケジューリングＣＯＲＥＳＥＴ上で送信された第２のＰＤＣＣＨを受信または監視し、ここで、第２のＰＤＣＣＨは、第２のサービングセル上で送信された第２のＰＤＳＣＨをスケジューリングする。
【０２１６】
上記に開示した方法のうちの１つ以上では、ＵＥが第２のＰＤＣＣＨを首尾よくデコードする前に、ＵＥは、第２のＰＤＳＣＨを受信するためのＴＣＩ状態が、参照ＣＯＲＥＳＥＴに適用されるＴＣＩ状態と同一であると想定し、ＵＥは、参照ＣＯＲＥＳＥＴに適用されるＴＣＩ状態を解釈するときに、第２の参照信号のインデックスおよび対応するＱＣＬタイプを参照する。
【０２１７】
上記に開示した方法のうちの１つ以上では、スケジューリングＣＯＲＥＳＥＴの受信に適用されるＴＣＩ状態は、少なくとも、第１の参照信号のインデックス、第２の参照信号のインデックス、およびこれらに対応するＱＣＬタイプに関連付けられる。
【０２１８】
上記に開示した方法のうちの１つ以上では、第１の参照信号は、第１のサービングセル上で送信される。
【０２１９】
上記に開示した方法のうちの１つ以上では、第２の参照信号は、第２のサービングセル上で送信される。
【０２２０】
上記に開示した方法のうちの１つ以上では、参照ＣＯＲＥＳＥＴに適用されるＴＣＩ状態と第１の参照信号との関連付けは、第１のサービングセルの設定、例えば、クロスキャリア・スケジューリングに関連する設定CrossCarrierSchedulingConfigにおいて設定される。
【０２２１】
上記に開示した方法のうちの１つ以上では、参照ＣＯＲＥＳＥＴに適用されるＴＣＩ状態と第１の参照信号との関連付けは、第２のサービングセルの設定、例えば、第２のサービングセルのＣＯＲＥＳＥＴ設定において設定される。
【０２２２】
別の例示的な方法によれば、ＵＥは、第２のサービングセルのスケジューリングＣＯＲＥＳＥＴ上で送信された第１のＰＤＣＣＨを受信または監視し、ここで、第１のＰＤＣＣＨは、第１のサービングセル上で送信された第１のＰＤＳＣＨをスケジューリングし、ＵＥは、ＵＥが第１のＰＤＣＣＨをデコードする前に、第１のＰＤＳＣＨのためのＴＣＩ状態は、参照ＣＯＲＥＳＥＴを受信するために適用されたＴＣＩ状態と同一であると想定し、ここで、ＴＣＩ状態は、第２のサービングセル上で送信された第２の参照信号のインデックスを含み、ＵＥは、第１のサービングセルにおいて送信された第１の参照信号のインデックスおよび対応するＱＣＬタイプから導出されたＰＤＳＣＨアンテナポート準同一位置を介して、第１のＰＤＳＣＨを受信する。
【０２２３】
別の方法では、参照ＣＯＲＥＳＥＴは、１つ以上のＣＯＲＥＳＥＴがＵＥのために設定される最新のスロット内の最低のＣＯＲＥＳＥＴ−ＩＤを有する第２のサービングセルために設定されたＣＯＲＥＳＥＴである。
【０２２４】
別の方法では、第１の参照信号と第２の参照信号の関連付けは、ＵＥに明示的に設定される。
【０２２５】
上記に開示した方法のうちの１つ以上では、第１の参照信号と第２の参照信号の関連付けは、例えば、仕様に明記されるように、ＵＥに指定される。
【０２２６】
上記に開示した方法のうちの１つ以上では、第１の参照信号と第２の参照信号の関連付けは（暗黙的に）ＵＥによって導出される。
【０２２７】
上記に開示した方法のうちの１つ以上では、第１の参照信号と第２の参照信号の関連付けは、ルール、例えば第１の参照信号と第２の参照信号のインデックス番号を介して（暗黙的に）ＵＥによって導出される。
【０２２８】
別の例示的な方法によれば、ＵＥは、第２のサービングセルのスケジューリングＣＯＲＥＳＥＴ上で送信された第１のＰＤＣＣＨを受信または監視し、ここで、第１のＰＤＣＣＨは、第１のサービングセル上で送信された第１のＰＤＳＣＨをスケジューリングし、ＵＥは、ＵＥが第１のＰＤＣＣＨを首尾よくデコードする前に、インジケータに基づいて、第１のＰＤＳＣＨを受信するためのＰＤＳＣＨアンテナポート準同一位置を決定し、ＵＥは、デフォルトのＴＣＩ状態から導出されるＰＤＳＣＨアンテナポート準同一位置を介して、第１のＰＤＳＣＨを受信し、ここで、デフォルトのＴＣＩ状態は、インジケータの値に基づく。
【０２２９】
別の方法で、インジケータが「１」または「真」もしくは「有効」を示す場合、ＵＥは、デフォルトのＴＣＩ状態が、参照ＣＯＲＥＳＥＴに適用されるＴＣＩ状態と同一であると想定する。
【０２３０】
上記に開示した方法のうちの１つ以上では、インジケータが「０」または「偽」もしくは「無効」を示す場合、デフォルトのＴＣＩ状態は、第１のサービングセルにおいてＰＤＳＣＨを受信するためのＴＣＩフィールド内のコードポイントの１つにマッピングされたＴＣＩ状態である。
【０２３１】
上記に開示した方法のうちの１つ以上では、インジケータが「０」または「偽」もしくは「無効」を示す場合、デフォルトのＴＣＩ状態は、第１のサービングセルにおいてＰＤＳＣＨを受信するためのアクティブされたＴＣＩ状態において最低のＴＣＩ状態ＩＤを有するＴＣＩ状態である。
【０２３２】
上記に開示した方法のうちの１つ以上では、インジケータが「０」または「偽」もしくは「無効」を示す場合、デフォルトのＴＣＩ状態は、第１のサービングセルにおいてＰＤＳＣＨを受信するためのＴＣＩフィールド内のコードポイント０にマッピングされたＴＣＩ状態である。
【０２３３】
上記に開示した方法のうちの１つ以上では、インジケータが「０」または「偽」もしくは「無効」を示す場合、デフォルトのＴＣＩ状態は、第１のサービングセルおよび／または第２のサービングセルのために設定されたＣＯＲＥＳＥＴのうちの少なくとも１つを受信するのに適用されるＴＣＩ状態である。
【０２３４】
上記に開示した方法のうちの１つ以上では、インジケータが「０」または「偽」もしくは「無効」を示す場合、デフォルトのＴＣＩ状態は、第１のサービングセルおよび／または第２のサービングセルのために設定されたＣＯＲＥＳＥＴのうち最低のＣＯＲＥＳＥＴ  ＩＤを有するＣＯＲＥＳＥＴを受信するのに適用されるＴＣＩ状態である。
【０２３５】
上記に開示した方法のうちの１つ以上では、TCI-PresentInDCI＝「有効」および  TCI-PresentInDCI＝「無効」の場合について、第１のＰＤＣＣＨのＤＬ  ＤＣＩの受信と第１のＰＤＳＣＨとのオフセットが閾値Threshold-Sched-Offset未満である場合、ＵＥは、第１のＰＤＳＣＨの１つのＤＭ−ＲＳポートグループのアンテナポートがデフォルト状態に基づいて準同一位置にされると想定してもよい。
【０２３６】
上記に開示した方法のうちの１つ以上では、ＵＥが第１のＰＤＣＣＨを首尾よくデコードする前に、ＵＥは、第２のＰＤＳＣＨを受信するためのＴＣＩ状態が、参照ＣＯＲＥＳＥＴに適用されるＴＣＩ状態と同一であると想定する。
【０２３７】
別の例示的な方法によれば、ＵＥは、第２のサービングセルのスケジューリングＣＯＲＥＳＥＴ上で送信された第１のＰＤＣＣＨを受信または監視し、ここで、第１のＰＤＣＣＨは、第１のサービングセル上で送信された第１のＰＤＳＣＨをスケジューリングし、ＵＥは、ＵＥが第１のＰＤＣＣＨを首尾よくデコードする前に、第１のＰＤＳＣＨを受信するためのＴＣＩ状態は、参照ＣＯＲＥＳＥＴに適用されるＴＣＩ状態と同一であると想定し、ここで、参照ＣＯＲＥＳＥＴを受信するのに適用されるＴＣＩ状態は、少なくとも、第１の参照信号のインデックス、第２の参照信号のインデックス、および対応するＱＣＬタイプに関連付けられ、ＵＥは、インジケータの値に基づいて、第１の参照信号のインデックス及び対応するＱＣＬタイプから導出されたＰＤＳＣＨアンテナポート準同一位置を介して第１のＰＤＳＣＨを受信する。
【０２３８】
別の方法では、参照ＣＯＲＥＳＥＴは、１つ以上のＣＯＲＥＳＥＴがＵＥのために設定される最新のスロット内の最低のＣＯＲＥＳＥＴ−ＩＤを有する第２のサービングセルのために設定されたＣＯＲＥＳＥＴである。
【０２３９】
上記に開示した方法のうちの１つ以上では、ＵＥは、スケジューリングＣＯＲＥＳＥＴ上で送信された第２のＰＤＣＣＨを受信または監視し、ここで、第２のＰＤＣＣＨは、第２のサービングセル上で送信された第２のＰＤＳＣＨをスケジューリングする。
【０２４０】
上記に開示した方法のうちの１つ以上では、ＵＥは、インジケータに基づいて参照ＣＯＲＥＳＥＴに適用されるＴＣＩ状態を解釈する。
【０２４１】
上記に開示した方法のうちの１つ以上では、第１の参照信号は、第１のサービングセル上で送信される。
【０２４２】
上記に開示した方法のうちの１つ以上では、第２の参照信号は、第２のサービングセル上で送信される。
【０２４３】
上記に開示した方法のうちの１つ以上では、参照ＣＯＲＥＳＥＴに適用されるＴＣＩ状態と第１の参照信号の関連付けは、第１のサービングセルの設定、例えば、クロスキャリア・スケジューリングに関連する設定CrossCarrierSchedulingConfig、において設定される。
【０２４４】
上記に開示した方法のうちの１つ以上では、参照ＣＯＲＥＳＥＴのために適用されるＴＣＩ状態と第１の参照信号の関連付けは、第２のサービングセルの設定、例えば、第２のサービングセルのＣＯＲＥＳＥＴ設定において設定される。
【０２４５】
上記に開示した方法のうちの１つ以上では、インジケータが「１」または「真」もしくは「有効」を示す場合、ＵＥは、参照ＣＯＲＥＳＥＴに適用されるＴＣＩ状態を解釈するときに、第１の参照信号のインデックスおよび対応するＱＣＬタイプを参照する。
【０２４６】
上記に開示した方法のうちの１つ以上では、インジケータが「０」または「偽」もしくは「無効」を示す場合、ＵＥは、参照ＣＯＲＥＳＥＴに適用されるＴＣＩ状態を解釈するときに、第１の参照信号のインデックスおよび対応するＱＣＬタイプを参照する。
【０２４７】
上記に開示した方法のうちの１つ以上では、ＵＥが第２のＰＤＣＣＨを首尾よくデコードする前に、ＵＥは、第２のＰＤＳＣＨを受信するためのＴＣＩ状態が、参照ＣＯＲＥＳＥＴに適用されるＴＣＩ状態と同一であると想定し、ＵＥは、インジケータの値にかかわらず、参照ＣＯＲＥＳＥＴに適用されるＴＣＩ状態を解釈するときに、第２の参照信号のインデックスおよびＱＣＬタイプを参照する。
【０２４８】
別の方法では、インジケータが「１」または「真」もしくは「有効」を示す場合、参照ＣＯＲＥＳＥＴを受信するのに適用されるＴＣＩ状態は、第２のサービングセル上で送信される参照信号のインデックスおよび対応するＱＣＬタイプに関連付けられる。
【０２４９】
別の方法では、インジケータが「０」または「偽」もしくは「無効」を示す場合、参照ＣＯＲＥＳＥＴを受信するのに適用されるＴＣＩ状態は、少なくとも、第１の参照信号のインデックス、第２の参照信号のインデックス、および対応するＱＣＬタイプに関連付けられる。
【０２５０】
上記に開示した方法のうちの１つ以上では、インジケータが「０」または「偽」もしくは「無効」を示す場合であって、ＵＥが第１のＰＤＣＣＨを首尾よくデコードする前に、ＵＥは、参照ＣＯＲＥＳＥＴを受信するのに適用されるＴＣＩ状態において第１の参照信号のインデックスおよび対応するＱＣＬタイプから導出されたＰＤＳＣＨアンテナポート準同一位置を介して、第１のＰＤＳＣＨを受信する。
【０２５１】
上記に開示した方法のうちの１つ以上では、「０」または「偽」もしくは「無効」を示す場合であって、ＵＥが第２のＰＤＣＣＨを首尾よくデコードする前に、ＵＥは、参照ＣＯＲＥＳＥＴを受信するのに適用されるＴＣＩ状態において第２の参照信号のインデックスおよび対応するＱＣＬタイプから導出されたＰＤＳＣＨアンテナポート準同一位置を介して、第２のＰＤＳＣＨを受信する。
【０２５２】
別の例示的な方法によれば、ＵＥは、第２のサービングセルのスケジューリングＣＯＲＥＳＥＴ上で送信された第１のＰＤＣＣＨを受信または監視し、ここで、第１のＰＤＣＣＨは、第１のサービングセル上で送信された第１のＰＤＳＣＨをスケジューリングし、ＵＥは、第１のＰＤＣＣＨのＤＣＩの受信と第１のＰＤＳＣＨの間の時間オフセットが閾値未満である場合、第１のＰＤＳＣＨまたは第１のＰＤＳＣＨの残りの部分を破棄する。
【０２５３】
別の方法では、第１のＰＤＣＣＨのＤＣＩの受信と第１のＰＤＳＣＨの間の時間オフセットが閾値未満である場合、ＵＥは、第１のＰＤＳＣＨまたは第１のＰＤＳＣＨの残りの部分を受信および／またはデコードしない。
【０２５４】
上記に開示した方法のうちの１つ以上では、第１のＰＤＣＣＨのＤＣＩの受信と第１のＰＤＳＣＨの間の時間オフセットが閾値未満である場合、ＵＥは、第１のＰＤＣＣＨが整合性のない制御情報であると検出またはみなす。
【０２５５】
上記に開示した方法のうちの１つ以上では、第１のＰＤＣＣＨのＤＣＩの受信と第１のＰＤＳＣＨの間の時間オフセットが閾値未満である場合、ＵＥは、第１のＰＤＳＣＨに対応する確認応答信号、例えばＡＣＫ／ＮＡＣＫをネットワークに送信しない。
【０２５６】
上記に開示した方法のうちの１つ以上では、閾値は、ＵＥがＰＤＣＣＨを首尾よくデコードするのに必要な持続時間に関係する。
【０２５７】
上記に開示した方法のうちの１つ以上では、閾値はＵＥ能力に関係する。
【０２５８】
上記に開示した方法の１つ以上において、閾値は閾値Threshold-Sched-Offsetとしてもよい。
【０２５９】
図６は、ＵＥの観点からの、例示的な一実施形態によるフローチャート６００である。ステップ６０５では、ＵＥは、ネットワークから第１のサービングセルおよび第２のサービングセルの設定を受信する。ステップ６１０では、ＵＥは、第２のサービングセルのスケジューリングＣＯＲＥＳＥＴ上で送信された第１のＰＤＣＣＨを受信および／または監視し、ここで、第１のＰＤＣＣＨは、第１のサービングセル上で送信された第１のＰＤＳＣＨをスケジューリングする。ステップ６１５では、ＵＥは、第２のサービングセルのスケジューリングＣＯＲＥＳＥＴ上で送信された第２のＰＤＣＣＨを受信および／または監視し、ここで、第２のＰＤＣＣＨは、第２のサービングセル上で送信された第２のＰＤＳＣＨをスケジューリングする。ステップ６２０では、ＵＥは、ＵＥが第２のＰＤＣＣＨを首尾よくデコードする前に、１つ以上のＣＯＲＥＳＥＴがＵＥのために設定される最新のスロットにおいて、最低のＣＯＲＥＳＥＴ−ＩＤを有するＣＯＲＥＳＥＴのＰＤＣＣＨ準同一位置指示に使用されるＴＣＩ状態を介して、第２のＰＤＳＣＨを受信および／またはバッファする。ステップ６２５では、ＵＥは、ＵＥが第１のＰＤＣＣＨを首尾よくデコードする前に、第１のＰＤＳＣＨを受信および／またはバッファしない、すなわち、ＵＥは、ＵＥが第１のＰＤＳＣＨを受信および／またはバッファする前に、第１のＰＤＣＣＨを首尾よくデコードする。
【０２６０】
一実施形態では、ＵＥには、ネットワークによって第１のサービングセルと第２のサービングセルが設定される。
【０２６１】
別の方法では、ＵＥには、第１のＰＤＣＣＨのＤＣＩの受信と第１のＰＤＳＣＨの間の時間オフセットが、閾値Threshold-Sched-Offset未満であり得ることを示すパラメータが設定される。
【０２６２】
上記に開示した方法のうちの１つ以上では、ＵＥには、第２のＰＤＣＣＨのＤＣＩの受信と第２のＰＤＳＣＨの間の時間オフセットが、閾値Threshold-Sched-Offset未満とすることができることを示すパラメータが設定される。
【０２６３】
上記に開示した方法のうちの１つ以上では、ＵＥは、第１のＰＤＣＣＨのＤＣＩの受信と第１のＰＤＳＣＨの間の時間オフセットが、閾値Threshold-Sched-Offset以上であると期待する。
【０２６４】
上記に開示した方法のうちの１つ以上では、閾値Threshold-Sched-Offsetは、ＵＥ能力および／またはＵＥがＰＤＣＣＨを首尾よくデコードするために必要な時間に関連する。
【０２６５】
上記に開示した方法のうちの１つ以上では、第１のＰＤＣＣＨのＤＣＩの受信と第１のＰＤＳＣＨの間の時間オフセットが閾値Threshold-Sched-Offset未満である場合、ＵＥは、第１のＰＤＳＣＨを受信および／またはバッファしない。
【０２６６】
上記に開示した方法のうちの１つ以上では、第２のＰＤＣＣＨのＤＣＩの受信と第２のＰＤＳＣＨの間の時間オフセットが閾値Threshold-Sched-Offset未満である場合、ＵＥは、１つ以上のＣＯＲＥＳＥＴがＵＥに対して設定される最新スロット内の最低のＣＯＲＥＳＥＴ−ＩＤを有するＣＯＲＥＳＥＴのＰＤＣＣＨ準同一位置指示に使用されるＴＣＩ状態を介して、第２のＰＤＳＣＨを受信および／またはバッファする。
【０２６７】
上記に開示した方法のうちの１つ以上では、ネットワークがスケジューリングされるサービングセルのためのＣＯＲＥＳＥＴ設定を設定する場合、ＵＥは、スケジューリングするサービングセルのＣＯＲＥＳＥＴ内のＰＤＣＣＨを受信するための準同一位置情報を提供するパラメータを使用しない。
【０２６８】
上記に開示した方法のうちの１つ以上では、ネットワークがスケジューリングされるサービングセルのためのＣＯＲＥＳＥＴ設定を設定する場合、ＵＥは、スケジューリングするサービングセルのＣＯＲＥＳＥＴ内のＰＤＣＣＨを受信するための準同一位置情報を提供するパラメータを無視する。
【０２６９】
図７は、ネットワークの観点からの例示的な一実施形態によるフローチャート７００である。ステップ７０５では、ネットワークは、第１のサービングセルおよび第２のサービングセルをＵＥに設定する。ステップ７１０では、ネットワークは、第２のサービングセルのスケジューリングＣＯＲＥＳＥＴを介して第２のＰＤＣＣＨをＵＥに送信し、ここで、第２のＰＤＣＣＨは、第２のサービングセル上で送信された第２のＰＤＳＣＨをスケジューリングし、第２のＰＤＣＣＨのＤＣＩの受信と第２のＰＤＳＣＨの間の時間オフセットは、閾値Threshold-Sched-Offset未満であり得る。ステップ７１５では、ネットワークは、第２のサービングセルのスケジューリングＣＯＲＥＳＥＴを介して第１のＰＤＣＣＨをＵＥに送信し、ここで、第１のＰＤＣＣＨは、第１のサービングセル上で送信された第１のＰＤＳＣＨをスケジューリングする。ステップ７２０において、ネットワークは、第１のＰＤＣＣＨのＤＣＩの受信と第１のＰＤＳＣＨの間の時間オフセットが、閾値Threshold-Sched-Offset未満になるように設定または構成することを防止する。
【０２７０】
上記に開示した方法のうちの１つ以上では、ネットワークは、第１のＰＤＣＣＨのＤＣＩの受信と第１のＰＤＳＣＨの間の時間オフセットが、閾値Threshold-Sched-Offset未満になるように設定または構成することが許容されない。
【０２７１】
上記に開示した方法のうちの１つ以上では、ネットワークは、第１のＰＤＣＣＨのＤＣＩの受信と第１のＰＤＳＣＨの間の時間オフセットが、閾値Threshold-Sched-Offset以上であることを示すパラメータをＵＥに設定する。
【０２７２】
上記に開示した方法のうちの１つ以上では、ネットワークは、第２のＰＤＣＣＨのＤＣＩの受信と第２のＰＤＳＣＨの間の時間オフセットが閾値Threshold-Sched-Offset未満であり得ることを示すパラメータをＵＥに設定する。
【０２７３】
上記に開示した方法のうちの１つ以上では、閾値Threshold-Sched-Offsetは、ＵＥ能力および／またはＵＥがＰＤＣＣＨを首尾よくデコードするために必要な時間に関連する。
【０２７４】
上記に開示した方法のうちの１つ以上では、第１のＰＤＣＣＨのＤＣＩの受信と第１のＰＤＳＣＨの間の時間オフセットが閾値Threshold-Sched-Offset未満である場合、ネットワークは、第１のＰＤＳＣＨを送信しない。
【０２７５】
上記に開示した方法のうちの１つ以上では、ネットワークは、第２のＰＤＣＣＨのＤＣＩの受信と第２のＰＤＳＣＨの間の時間オフセットが閾値未満である場合、１つ以上のＣＯＲＥＳＥＴがＵＥに対して設定される最新スロット内の最低のＣＯＲＥＳＥＴ−ＩＤを有するＣＯＲＥＳＥＴのＰＤＣＣＨ準同一位置指示に使用されるＴＣＩ状態に基づいて第２のＰＤＳＣＨを送信する。
【０２７６】
上記に開示した方法のうちの１つ以上では、ネットワークは、、第１のＰＤＣＣＨのＤＣＩの受信と第１のＰＤＳＣＨの間の時間オフセットが閾値Threshold-Sched-Offset未満である場合、ＵＥから確認応答信号を受信しない（ここで、確認応答信号は、第１のＰＤＳＣＨに対応する）。
【０２７７】
上記に開示した方法のうちの１つ以上では、ネットワークは、スケジューリングされるサービングセルのためのＣＯＲＥＳＥＴ設定を設定することを防止する。
【０２７８】
上記に開示した方法のうちの１つ以上では、ネットワークがスケジューリングされるサービングセルのためのＣＯＲＥＳＥＴ設定を設定する場合、ＰＤＣＣＨを受信するための準同一位置情報を提供するパラメータを設定することは許容されない。
【０２７９】
上記に開示した方法のうちの１つ以上では、ネットワークがスケジューリングされるサービングセルのためのＣＯＲＥＳＥＴ設定を設定する場合、スケジューリングされるサービングセルのＰＤＣＣＨがスケジューリングするサービングセル上で送信されるとき、ＰＤＣＣＨを受信するための準同一位置情報を提供するパラメータは無視されるかまたは使用されない。
【０２８０】
当業者が理解するように、様々な開示された実施形態を組み合わせて、新しい実施形態および／または方法を形成してもよい。
【０２８１】
図３および図４に戻って参照すると、一実施形態では、装置３００は、メモリ３１０に記憶されたプログラムコード３１２を含む。ＣＰＵ３０８は、プログラムコード３１２を実行して、（ｉ）ネットワークから第１のサービングセルおよび第２のサービングセルの設定を受信することと、（ｉｉ）第２のサービングセルのスケジューリングＣＯＲＥＳＥＴ上で送信された第１のＰＤＣＣＨを受信および／または監視すること（ここで、第１のＰＤＣＣＨは、第１のサービングセル上で送信された第１のＰＤＳＣＨをスケジューリングする）と、（ｉｉｉ）第２のサービングセルのスケジューリングＣＯＲＥＳＥＴ上で送信された第２のＰＤＣＣＨを受信および／または監視すること（ここで、第２のＰＤＣＣＨは、第２のサービングセル上で送信された第２のＰＤＳＣＨをスケジューリングする）と、（ｉｖ）ＵＥが第２のＰＤＣＣＨを首尾よくデコードする前に、１つ以上のＣＯＲＥＳＥＴがＵＥに対して設定される最新のスロット内の最低のＣＯＲＥＳＥＴ−ＩＤを有するＣＯＲＥＳＥＴのＰＤＣＣＨ準同一位置に使用されるＴＣＩ状態を介して第２のＰＤＳＣＨを受信および／またはバッファすることと、（ｖ）ＵＥが第１のＰＤＣＣＨを首尾よくデコードする前に、第１のＰＤＳＣＨを受信および／またはバッファしないことと、を行うことができる。
【０２８２】
別の実施形態では、デバイスは、メモリ３１０に記憶されたプログラムコード３１２を含む。ＣＰＵ３０８は、プログラムコード３１２を実行して、（ｉ）第１のサービングセルおよび第２のサービングセルをＵＥに設定することと、（ｉｉ）第２のサービングセルのスケジューリングＣＯＲＥＳＥＴを介して第２のＰＤＣＣＨをＵＥに送信すること（ここで、第２のＰＤＣＣＨは、第２のサービングセル上で送信された第２のＰＤＳＣＨをスケジューリングし、第２のＰＤＣＣＨのＤＣＩの受信と第２のＰＤＳＣＨの間の時間オフセットは、閾値Threshold-Sched-Offset未満であり得る）と、（ｉｉｉ）第２のサービングセルのスケジューリングＣＯＲＥＳＥＴを介して第１のＰＤＣＣＨをＵＥに送信すること（ここで、第１のＰＤＣＣＨは、第１のサービングセル上で送信された第１のＰＤＳＣＨをスケジューリングする）と、（ｉｖ）第１のＰＤＣＣＨのＤＣＩの受信と第１のＰＤＳＣＨの間の時間オフセットが閾値Threshold-Sched-Offset未満となるように設定または構成することを防止することと、を行う。
【０２８３】
さらに、ＣＰＵ３０８は、プログラムコード３１２を実行して、上述のすべての動作およびステップ、または本明細書で説明した他の方法を実行することができる。
【０２８４】
上記に開示した方法は、クロスキャリア・スケジューリングを考慮した下りリンク・データバッファ中のビーム使用指示の不明確さを回避するのに役立つ。
【０２８５】
以上、本開示の種々の態様を説明した。当然のことながら、本明細書の教示内容を多種多様な形態で具現化してよく、本明細書に開示されている如何なる特定の構造、機能、または両者も代表的なものに過ぎない。本明細書の教示内容に基づいて、当業者には当然のことながら、本明細書に開示される態様は、他の如何なる態様からも独立に実装されてよく、これら態様のうちの２つ以上が種々組み合わされてよい。例えば、本明細書に記載された態様のうちの任意の数の態様を用いて、装置が実装されてよく、方法が実現されてよい。追加的に、本明細書に記載された態様のうちの１つ以上の追加または代替で、他の構造、機能、または構造と機能を用いて、このような装置が実装されるようになっていてもよいし、このような方法が実現されるようになっていてもよい。上記概念の一部の一例として、いくつかの態様においては、パルス繰り返し周波数に基づいて、同時チャネルが確立されてよい。いくつかの態様においては、パルス位置またはオフセットに基づいて、同時チャネルが確立されてよい。いくつかの態様においては、時間ホッピングシーケンスに基づいて、同時チャネルが確立されてよい。
【０２８６】
当業者であれば、多様な異なるテクノロジおよび技術のいずれかを使用して、情報および信号を表わしてよいを理解するであろう。例えば、上記説明全体で言及されることがあるデータ、命令、コマンド、情報、信号、ビット、シンボル、およびチップは、電圧、電流、電磁波、磁場若しくは粒子、光場若しくは粒子、またはこれらの任意の組合せによって表わしてよい。
【０２８７】
さらに、当業者には当然のことながら、本明細書に開示された態様に関連して説明した種々の例示的な論理ブロック、モジュール、プロセッサ、手段、回路、およびアルゴリズムステップは、電子的ハードウェア（例えば、ソースコーディングまたはその他何らかの技術を用いて設計することがあるデジタル実装、アナログ実装、またはこれら２つの組合せ）、命令を含む種々の形態のプログラム若しくは設計コード（本明細書においては便宜上、「ソフトウェア」または「ソフトウェアモジュール」と称されることがある）、または両者の組合せとして実装されてよい。このハードウェアおよびソフトウェアの互換性を明確に示すため、種々の例示的な構成要素、ブロック、モジュール、回路、およびステップを、概略的にそれぞれの機能の側面から上述した。そのような機能がハードウェアとして実装されるか、ソフトウェアとして実装されるかは、特定用途およびシステム全体に課される設計上の制約によって決まる。当業者であれば、特定各用途に対して、説明した機能を様々なやり方で実装してもよいが、そのような実装の決定は、本開示の範囲からの逸脱の原因として解釈されるべきではない。
【０２８８】
追加的に、本明細書に開示される態様に関連して説明した種々の例示的な論理ブロック、モジュール、および回路は、集積回路（「ＩＣ」）、アクセス端末、またはアクセスポイント内で実装される、あるいはこれらによって実行されてよい。ＩＣとしては、汎用プロセッサ、デジタルシグナルプロセッサ（ＤＳＰ）、特定用途向け集積回路（ＡＳＩＣ）、フィールドプログラマブルゲートアレイ（ＦＰＧＡ）、その他プログラマブル論理デバイス、ディスクリートゲート若しくはトランジスタロジック、ディスクリートハードウェアコンポーネント、電気部品、光学部品、機械部品、または本明細書で説明した機能を実行するように設計されたこれらの任意の組合せを含み、ＩＣ内、ＩＣ外、またはその両方に存在するコードまたは命令を実行してよい。汎用プロセッサは、マイクロプロセッサとしてよいが、代替として、プロセッサは、従来の任意のプロセッサ、コントローラ、マイクロコントローラ、または状態機械としてよい。また、プロセッサは、ＤＳＰとマイクロプロセッサとの組合せ、複数のマイクロプロセッサ、ＤＳＰコアと協働する１つ以上のマイクロプロセッサ、またはその他任意のこのような構成である、コンピュータデバイスの組合せとして実装されてよい。
【０２８９】
任意の開示プロセスにおけるステップの如何なる特定の順序または階層は、実例的な手法の一例であることが了解される。設計の選好に基づいて、プロセスにおけるステップの特定の順序または階層を、本開示の範囲内に留まりつつ、再構成してよいことが了解される。添付の方法の請求項は、種々のステップの要素を実例的な順序で示しており、提示の特定順序または階層に限定されることを意図していない。
【０２９０】
本明細書に開示される態様に関連して記載された方法またはアルゴリズムのステップを、ハードウェアにおいて直接具現化してよく、プロセッサにより実行されるソフトウェアモジュールにおいて具現化してよく、これら２つの組合せにおいて具現化してよい。（例えば、実行可能な命令および関連するデータを含む）ソフトウェアモジュールおよび他のデータは、ＲＡＭメモリ、フラッシュメモリ、ＲＯＭメモリ、ＥＰＲＯＭメモリ、ＥＥＰＲＯＭメモリ、レジスタ、ハードディスク、リムバーブルディスク、ＣＤ−ＲＯＭ等のデータメモリ、または当技術分野において知られているその他任意の形態のコンピュータ可読記憶媒体に存在してよい。実例的な記憶媒体がコンピュータ／プロセッサ（本明細書においては便宜上、「プロセッサ」と称されることがある）等の機械に結合されてよい、このようなプロセッサは、記憶媒体からの情報（例えば、コード）の読み出しおよび記憶媒体への情報の書き込みが可能である。実例的な記憶媒体は、プロセッサと一体化されてよい。プロセッサおよび記憶媒体は、ＡＳＩＣに存在してよい。ＡＳＩＣは、ユーザ機器に存在していてもよい。代替として、プロセッサおよび記憶媒体は、ディスクリートコンポーネントとしてユーザ機器に存在してよい。さらに、いくつかの態様においては、任意の適当なコンピュータプログラム製品が、本開示の態様のうちの１つ以上に関連するコードを含むコンピュータ可読媒体を含んでもよい。いくつかの態様において、コンピュータプログラム製品は、パッケージング材料を含んでよい。
【０２９１】
以上、種々の態様に関連して本発明を説明したが、本発明は、さらに改良可能であることが了解される。本願は、概して本発明の原理に従うと共に、本発明が関係する技術分野における既知で慣習的な実施となるような本開示からの逸脱を含む本発明の任意の変形、使用、または適応を網羅することを意図している。
【図１】
2019176472.tif 000016
【図２】
2019176472.tif 000017
【図３】
2019176472.tif 000018
【図４】
2019176472.tif 000019
【図５】
2019176472.tif 000020
【図６】
2019176472.tif 000021
【図７】
2019176472.tif 000022
【外国語明細書】
2019176472000001.pdf